(57)【特許請求の範囲】
【請求項１】
本体画像およびその背景画像を有する印刷画像を、テープに主印刷として印刷し、前記テープを前記印刷画像の前端でカットする前カット処理および前記印刷画像の後端でカットする後カット処理を行うことにより、前記印刷画像が印刷されたラベルを作成するとともに、前記背景画像として、何も印刷しない空白画像の設定並びに地色および地模様の少なくとも一方の印刷である地画像の設定が可能に構成され、前記地画像が設定されたときには、前記地画像を、前記印刷画像の後端から所定の後余印刷長さＬＡＥ分後方の位置まで余分に、余印刷として印刷した後、前記後カット処理を行うテープ印刷装置の制御方法であって、
前回ラベル作成時に前記背景画像として前記地画像が設定されていたときには、今回ラベル作成時には、前記テープの前端から所定の余印刷長さＬＡ（ＬＡ＝ＬＡＥ＋α、ここでαは０以上の所定値）分以上後方の位置で前記前カット処理を行うことを特徴とするテープ印刷装置の制御方法。
【請求項２】
前記今回ラベル作成時の前記背景画像として前記地画像が設定されているときには、前記地画像を、前記印刷画像の前端より所定の前余印刷長さＬＡＳ分前方の位置から前記印刷画像の前端まで余分に、余印刷として印刷した後、前記前カット処理を行うことを特徴とする、請求項１に記載のテープ印刷装置の制御方法。
【請求項３】
前記今回ラベル作成時の前記背景画像として前記地画像が設定されたか否かを含む所定の印刷条件に基づいて、前記印刷画像を印刷するときの印刷制御条件を設定する印刷制御条件設定工程と、
前記印刷画像を表現する印刷画像データおよび前記印刷制御条件に基づいて、前記テープを下流に送りながら印刷ヘッドにより印刷を行う印刷手段を制御することにより、前記テープの送り並びに前記主印刷および前記余印刷を含む各種印刷を行うとともに、前記印刷ヘッドによる印刷位置から前記テープの送りの下流に所定のヘッドカッタ間長さＬＤだけ離れたカット位置で前記テープをカットするカッタを制御することにより、前記前カット処理および前記後カット処理を含む各種カット処理を行う印刷制御工程と、
を備えたことを特徴とする、請求項１または２に記載のテープ印刷装置の制御方法。
【請求項４】
前記印刷制御工程は、
作成する前記ラベルの前端と前記テープの前端と前記カッタによるカット位置とが一致するまでの前カット制御を行う前カット制御工程と、
前記前カット制御終了後に、前記後カット処理を実行するまでの後カット制御を行う後カット制御工程と、
を有することを特徴とする、請求項３に記載のテープ印刷装置の制御方法。
【請求項５】
前記前カット制御工程は、
印刷を伴わずにまたは前記空白画像の印刷を行いながら第１テープ送り長さＬＴ１（ＬＴ１≧０）分だけ前記テープを下流に送る第１テープ送りを行う第１テープ送り工程と、
前記第１テープ送り終了後に、印刷を行いながら第１印刷長さＬＰ１（ＬＰ１≧０）分だけ前記テープを下流に送る第１印刷を行う第１印刷工程と、
前記第１印刷終了後に、前記前カット処理を行う前カット工程と、
を有し、
前記印刷制御条件に、前記第１テープ送り長さＬＴ１および前記第１印刷長さＬＰ１が含まれることを特徴とする、請求項４に記載のテープ印刷装置の制御方法。
【請求項６】
前記前カット制御工程は、前記今回ラベル作成時の前記前カット処理が必要か否かを判別して、必要でないときに、前記前カット処理までの処理を省略する前カット省略判別工程をさらに有することを特徴とする、請求項５に記載のテープ印刷装置の制御方法。
【請求項７】
前記後カット制御工程は、
前記前カット制御終了後に、印刷を行いながら第２印刷長さＬＰ２（ＬＰ２≧０）分だけ前記テープを下流に送る第２印刷を行う第２印刷工程と、
前記第２印刷終了後に、印刷を伴わずにまたは前記空白画像の印刷を行いながら第２テープ送り長さＬＴ２（ＬＴ２≧０）分だけ前記テープを下流に送る第２テープ送りを行う第２テープ送り工程と、
前記第２テープ送り終了後に、前記後カット処理を行う後カット工程と、
を有し、
前記印刷制御条件に、前記第２印刷長さＬＰ２および前記第２テープ送り長さＬＴ２が含まれることを特徴とする、請求項４ないし６のいずれかに記載のテープ印刷装置の制御方法。
【請求項８】
前記後カット制御工程では、前記今回ラベル作成時の背景画像として前記地画像が設定された場合、前記印刷画像の長さを印刷画像長さＬＲとしたときに、前記前カット制御終了後に、ＬＲ−ＬＤ分の前記主印刷を行い、その後、前記後余印刷長さＬＡＥ分の前記余印刷を行い、その後、ＬＤ−ＬＡＥ分のテープ送りを行い、その後、前記後カット処理を行うことを特徴とする、請求項４ないし７のいずれかに記載のテープ印刷装置の制御方法。
【請求項９】
前記後カット制御工程では、前記今回ラベル作成時の背景画像として前記空白画像が設定された場合、前記印刷画像の長さを印刷画像長さＬＲとしたときに、前記前カット制御終了後に、ＬＲ−ＬＤ分の前記主印刷を行い、その後、ＬＤ分のテープ送りを行い、その後、前記後カット処理を行うことを特徴とする、請求項４ないし８のいずれかに記載のテープ印刷装置の制御方法。
【請求項１０】
前記後カット制御工程では、前記今回ラベル作成時の背景画像として前記空白画像が設定された場合、前記印刷画像の長さを印刷画像長さＬＲとし、前記印刷画像のうちの前記本体画像の後端から前記印刷画像の後端までの空白画像の長さを後空白長さＬＢＥとしたときに、前記前カット制御終了後に、ＬＲ−ＬＤ−ＬＢＥ分の前記主印刷を行い、その後、ＬＤ＋ＬＢＥ分のテープ送りを行い、その後、前記後カット処理を行うことを特徴とする、請求項４ないし８のいずれかに記載のテープ印刷装置の制御方法。
【請求項１１】
前記前カット制御工程では、前記今回ラベル作成時の背景画像として前記地画像が設定された場合、前記前余印刷長さＬＡＳ分の前記余印刷を行い、その後、前記印刷画像の前端から前記ヘッドカッタ間長さＬＤ分の前記主印刷を行い、その後、前記前カット処理を行うことを特徴とする、請求項４ないし１０のいずれかに記載のテープ印刷装置の制御方法。
【請求項１２】
前記印刷制御工程では、前記今回ラベル作成時の背景画像として前記空白画像が設定された場合、前記印刷画像の前端から前記本体画像の前端までの空白画像の長さである前空白長さＬＢＳ分の前記主印刷を省略することを特徴とする、請求項４ないし１１のいずれかに記載のテープ印刷装置の制御方法。
【請求項１３】
前記前カット制御工程では、前記今回ラベル作成時の背景画像として前記空白画像が設定された場合、前記ヘッドカッタ間長さＬＤ、前記余印刷長さＬＡおよび前記前空白長さＬＢＳの関係が、ＬＤ−ＬＡ＞ＬＢＳの判定条件を満たすときに、前記本体画像の前端からＬＤ−ＬＢＳ分の前記主印刷を行った後、前記前カット処理を行うことを特徴とする、請求項１２に記載のテープ印刷装置の制御方法。
【請求項１４】
前記前カット制御工程では、前記今回ラベル作成時の背景画像として前記空白画像が設定され、かつ前記前回ラベル作成時の背景画像として前記地画像が設定されていた場合、前記ヘッドカッタ間長さＬＤ、前記余印刷長さＬＡおよび前記前空白長さＬＢＳの関係が、ＬＤ−ＬＡ≦ＬＢＳ＜ＬＤの判定条件を満たすときに、ＬＡ＋ＬＢＳ−ＬＤ分のテープ送りを行い、その後、前記本体画像の前端からＬＤ−ＬＢＳ分の前記主印刷を行い、その後、前記前カット処理を行うことを特徴とする、請求項１２または１３に記載のテープ印刷装置の制御方法。
【請求項１５】
前記前カット制御工程では、前記今回ラベル作成時の背景画像として前記空白画像が設定され、かつ前記前回ラベル作成時の背景画像として前記地画像が設定されていた場合、前記ヘッドカッタ間長さＬＤおよび前記前空白長さＬＢＳの関係が、ＬＤ≦ＬＢＳの判定条件を満たすときに、前記余印刷長さＬＡ分のテープ送りを行った後、前記前カット処理を行うことを特徴とする、請求項１２ないし１４のいずれかに記載のテープ印刷装置の制御方法。
【請求項１６】
前記前カット制御工程では、前記今回ラベル作成時の背景画像として前記空白画像が設定され、かつ前記前回ラベル作成時の背景画像として前記空白画像が設定されていた場合、前記ヘッドカッタ間長さＬＤおよび前記前空白長さＬＢＳの関係が、ＬＤ＞ＬＢＳの判定条件を満たすときに、前記本体画像の前端からＬＤ−ＬＢＳ分の前記主印刷を行った後、前記前カット処理を行うことを特徴とする、請求項１２ないし１５のいずれかに記載のテープ印刷装置の制御方法。
【請求項１７】
前記前カット制御工程では、前記今回ラベル作成時の背景画像として前記空白画像が設定され、かつ前記前回ラベル作成時の背景画像として前記空白画像が設定されていた場合、前記ヘッドカッタ間長さＬＤおよび前記前空白長さＬＢＳの関係が、ＬＤ≦ＬＢＳの判定条件を満たすときに、前記前カット処理までの処理を省略することを特徴とする、請求項１２ないし１６のいずれかに記載のテープ印刷装置の制御方法。
【請求項１８】
本体画像およびその背景画像を有する印刷画像を、テープに主印刷として印刷し、前記テープを前記印刷画像の前端でカットする前カット処理および前記印刷画像の後端でカットする後カット処理を行うことにより、前記印刷画像が印刷されたラベルを作成するテープ印刷装置であって、
前記テープを下流に送りながら印刷ヘッドにより印刷を行う印刷手段と、
前記印刷ヘッドによる印刷位置から前記テープの送りの下流に所定のヘッドカッタ間長さＬＤだけ離れたカット位置で前記テープをカットするカッタと、
前記背景画像として何も印刷しない空白画像を設定する空白画像設定並びに前記背景画像として前記テープの地色および地模様の少なくとも一方を演出する地画像を設定する地画像設定を含む複数種類の背景画像設定のうちの１つを選択して設定する背景画像設定手段と、
前記背景画像として前記地画像が設定されたか否かを含む所定の印刷条件に基づいて、前記印刷画像を印刷するときの印刷制御条件を設定する印刷制御条件設定手段と、
前記印刷画像を表現する印刷画像データを記憶する記憶手段と、
前記印刷画像データおよび前記印刷制御条件に基づいて、前記印刷手段を制御することにより前記主印刷を含む各種印刷を行うとともに、前記カッタを制御することにより前記前カット処理および前記後カット処理を含む各種カット処理を行う印刷制御手段と、
を備え、
前記印刷制御手段は、
今回ラベル作成時の前記印刷画像の背景画像として前記地画像が設定されたときに、前記地画像を、前記印刷画像の前端より所定の前余印刷長さＬＡＳ分前方の位置から前記印刷画像の前端まで余分に、余印刷として印刷した後、前記前カット処理を行うとともに、前記印刷画像の後端から所定の後余印刷長さＬＡＥ分後方の位置まで余分に、余印刷として印刷した後、前記後カット処理を行い、
前回ラベル作成時に前記背景画像として前記地画像が設定されていたときには、今回ラベル作成時には、前記テープの前端から所定の余印刷長さＬＡ（ＬＡ＝ＬＡＥ＋α、ここでαは０以上の所定値）分以上後方の位置で前記前カット処理を行うことを特徴とするテープ印刷装置。
【発明の詳細な説明】
【０００１】
【発明の属する技術分野】
本発明は、印刷画像をテープに印刷してカットしたラベルを作成するテープ印刷装置およびその制御方法に関する。
【０００２】
【従来の技術】
テープ印刷装置において、例えばキャラクタ（文字、数字、記号、簡易図形等：以下「文字」で代表する）の画像（文字画像）を本体画像として、所定の地色や地模様を有するテープに印刷し、印刷された部分の前後に所望の余白を設けてカットすれば、本体画像の背景画像としてそのテープの地色や地模様を有するカットテープ（いわゆるラベル）が作成できる。すなわち、相異なる地色や地模様を有する種々のテープを用意して、各テープに対して本体画像を印刷すれば、その背景画像として種々の地色や地模様のあるラベルを作成できる。一方、本体画像とその背景画像を有する印刷画像をテープに印刷し、その背景画像として上記の各種テープの地色や地模様などの地画像を種々表現（演出）できれば、その印刷画像の前端および後端をカットすることにより、同様に、本体画像の背景画像として種々の地色や地模様のあるラベルを作成できる。
【０００３】
【発明が解決しようとする課題】
しかし、前者の場合、背景画像の種類数分だけ、それを地色や地模様として有するテープが必要となる。一方、後者の場合、テープとしては（例えば白地の）１種類で済むが、印刷画像の前端および後端で正確にカットしないと、作成したラベルのカット端にテープの地色（例えば白）の部分が残ってしまう場合があり、この場合、ラベル作成後にユーザがさらに挟み等でその部分をカットするなどの余分な手間が掛かる。
【０００４】
本発明は、本体画像およびその背景画像を有する印刷画像をテープに印刷し、その背景画像としてテープの地色や地模様などの地画像を演出でき、また演出しないときにはテープの無駄を低減でき、かつ、カット位置の精度が高くなくても、カット端まできれいなラベルを得ることができるテープ印刷装置およびその制御方法を提供することを目的とする。
【０００５】
【課題を解決するための手段】
本発明の請求項１のテープ印刷装置の制御方法は、本体画像およびその背景画像を有する印刷画像を、テープに主印刷として印刷し、前記テープを前記印刷画像の前端でカットする前カット処理および前記印刷画像の後端でカットする後カット処理を行うことにより、前記印刷画像が印刷されたラベルを作成するとともに、前記背景画像として、何も印刷しない空白画像の設定並びに地色および地模様の少なくとも一方の印刷である地画像の設定が可能に構成され、前記地画像が設定されたときには、前記地画像を、前記印刷画像の後端から所定の後余印刷長さＬＡＥ分後方の位置まで余分に、余印刷として印刷した後、前記後カット処理を行うテープ印刷装置の制御方法であって、前回ラベル作成時に前記背景画像として前記地画像が設定されていたときには、今回ラベル作成時には、前記テープの前端から所定の余印刷長さＬＡ（ＬＡ＝ＬＡＥ＋α、ここでαは０以上の所定値）分以上後方の位置で前記前カット処理を行うことを特徴とする。
【０００６】
このテープ印刷装置の制御方法では、本体画像およびその背景画像を有する印刷画像を、印刷対象物であるテープに主印刷として印刷し、テープを印刷画像の前端でカットする前カット処理および印刷画像の後端でカットする後カット処理を行うことにより、印刷画像が印刷されたラベルを作成する。ここで、背景画像として、何も印刷しない空白画像以外に、テープの地色および地模様の少なくとも一方を演出する地画像を設定可能に構成されているため、前述のように、テープとしては（例えば白地の）１種類で済む。また、地画像が背景画像として設定されたときには、その背景画像に連続する地画像を、印刷画像の後端から所定の後余印刷長さＬＡＥ分後方の位置まで余分に、余印刷として印刷した後、印刷画像の後端で後カット処理を行う。すなわち、所定の後余印刷長さＬＡＥ分後方の位置まで余分に地画像を印刷してから後カット処理を行うので、後カットのカット位置の精度が高くなくても、後カット端まできれいに地画像が印刷されたラベルが得られる。
【０００７】
また、この制御方法では、前回ラベル作成時に背景画像として地画像が設定されていたときには、今回ラベル作成時には、テープの前端から所定の余印刷長さＬＡ（ＬＡ＝ＬＡＥ＋α、ここでαは０以上の所定値）分以上後方の位置で前カット処理を行うので、前回ラベル作成時の地画像が今回ラベル作成時の前カット処理後に残ることがない。なお、ここで、所定値αはカット位置の精度（誤差）等を考慮して定めておけばよい。例えば前カットのカット位置の精度が高くなくても、それに合わせて所定値αを大きめに定めておけば、前回ラベル作成時の地画像が残ることが無い。すなわち仮に今回ラベル作成時の背景画像として空白画像が設定されていても、前カット端まできれいなラベルが得られる。したがって、このテープ印刷装置の制御方法では、本体画像およびその背景画像を有する印刷画像をテープに印刷し、その背景画像としてテープの地色や地模様などの地画像を演出できるとともに、カット位置の精度が高くなくても、カット端まできれいなラベルを得ることができる。
【０００８】
また、上述のテープ印刷装置の制御方法において、前記今回ラベル作成時の前記背景画像として前記地画像が設定されているときには、前記地画像を、前記印刷画像の前端より所定の前余印刷長さＬＡＳ分前方の位置から前記印刷画像の前端まで余分に、余印刷として印刷した後、前記前カット処理を行うことが好ましい。
【０００９】
このテープ印刷装置の制御方法では、今回ラベル作成時の印刷画像に地画像が設定されているときには、その背景画像に連続する地画像を、印刷画像の前端より所定の前余印刷長さＬＡＳ分前方の位置から印刷画像の前端まで余分に、余印刷として印刷した後、印刷画像の前端で前カット処理を行う。すなわち、所定の前余印刷長さＬＡＳ分前方の位置まで余分に地画像を印刷してから前カット処理を行うので、前カットのカット位置の精度が高くなくても、前カット端まできれいに地画像が印刷されたラベルが得られる。なお、この場合の前余印刷長さＬＡＳは、後余印刷長さＬＡＥに合わせて（ＬＡＳ＝ＬＡＥとして）も良いし、任意に定めても良い。
【００１０】
また、上述した各テープ印刷装置の制御方法において、前記今回ラベル作成時の前記背景画像として前記地画像が設定されたか否かを含む所定の印刷条件に基づいて、前記印刷画像を印刷するときの印刷制御条件を設定する印刷制御条件設定工程と、前記印刷画像を表現する印刷画像データおよび前記印刷制御条件に基づいて、前記テープを下流に送りながら印刷ヘッドにより印刷を行う印刷手段を制御することにより、前記テープの送り並びに前記主印刷および前記余印刷を含む各種印刷を行うとともに、前記印刷ヘッドによる印刷位置から前記テープの送りの下流に所定のヘッドカッタ間長さＬＤだけ離れたカット位置で前記テープをカットするカッタを制御することにより、前記前カット処理および前記後カット処理を含む各種カット処理を行う印刷制御工程と、を備えたことが好ましい。
【００１１】
このテープ印刷装置の制御方法では、今回ラベル作成時の背景画像として地画像が設定されたか否かを含む所定の印刷条件に基づいて、印刷画像を印刷するときの印刷制御条件を設定し、印刷画像を表現する印刷画像データおよび印刷制御条件に基づいて、テープを下流に送りながら印刷ヘッドにより印刷を行う印刷手段を制御することにより、テープの送り並びに主印刷および余印刷を含む各種印刷を行うとともに、印刷ヘッドによる印刷位置からテープの送りの下流に所定のヘッドカッタ間長さＬＤだけ離れたカット位置でテープをカットするカッタを制御することにより、前カット処理および後カット処理を含む各種カット処理を行う。すなわち、テープ送りおよび各種印刷を行う印刷手段や各種カットを行うカッタを制御することにより、請求項１や２で上述の各種作用が得られる。
【００１２】
また、請求項１８のテープ印刷装置は、本体画像およびその背景画像を有する印刷画像を、テープに主印刷として印刷し、前記テープを前記印刷画像の前端でカットする前カット処理および前記印刷画像の後端でカットする後カット処理を行うことにより、前記印刷画像が印刷されたラベルを作成するテープ印刷装置であって、前記テープを下流に送りながら印刷ヘッドにより印刷を行う印刷手段と、前記印刷ヘッドによる印刷位置から前記テープの送りの下流に所定のヘッドカッタ間長さＬＤだけ離れたカット位置で前記テープをカットするカッタと、前記背景画像として何も印刷しない空白画像を設定する空白画像設定並びに前記背景画像として前記テープの地色および地模様の少なくとも一方を演出する地画像を設定する地画像設定を含む複数種類の背景画像設定のうちの１つを選択して設定する背景画像設定手段と、前記背景画像として前記地画像が設定されたか否かを含む所定の印刷条件に基づいて、前記印刷画像を印刷するときの印刷制御条件を設定する印刷制御条件設定手段と、前記印刷画像を表現する印刷画像データを記憶する記憶手段と、前記印刷画像データおよび前記印刷制御条件に基づいて、前記印刷手段を制御することにより前記主印刷を含む各種印刷を行うとともに、前記カッタを制御することにより前記前カット処理および前記後カット処理を含む各種カット処理を行う印刷制御手段と、を備え、前記印刷制御手段は、今回ラベル作成時の前記印刷画像の背景画像として前記地画像が設定されたときに、前記地画像を、前記印刷画像の前端より所定の前余印刷長さＬＡＳ分前方の位置から前記印刷画像の前端まで余分に、余印刷として印刷した後、前記前カット処理を行うとともに、前記印刷画像の後端から所定の後余印刷長さＬＡＥ分後方の位置まで余分に、余印刷として印刷した後、前記後カット処理を行い、前回ラベル作成時に前記背景画像として前記地画像が設定されていたときには、今回ラベル作成時には、前記テープの前端から所定の余印刷長さＬＡ（ＬＡ＝ＬＡＥ＋α、ここでαは０以上の所定値）分以上後方の位置で前記前カット処理を行うことを特徴とする。
【００１３】
このテープ印刷装置は、本体画像およびその背景画像を有する印刷画像を、印刷対象物であるテープに主印刷として印刷し、テープを印刷画像の前端でカットする前カット処理および印刷画像の後端でカットする後カット処理を行うことにより、印刷画像が印刷されたラベルを作成するテープ印刷装置であり、このテープ印刷装置では、背景画像として何も印刷しない空白画像を設定する空白画像設定並びに背景画像としてテープの地色および地模様の少なくとも一方を演出する地画像を設定する地画像設定を含む複数種類の背景画像設定のうちの１つを選択して設定するので、テープとしては（例えば白地の）１種類で済む。また、背景画像として地画像が設定されたか否かを含む所定の印刷条件に基づいて、印刷画像を印刷するときの印刷制御条件を設定し、印刷画像を表現する印刷画像データおよび印刷制御条件に基づいて、印刷手段を制御することにより主印刷を含む各種印刷を行うとともに、カッタを制御することにより前カット処理および後カット処理を含む各種カット処理を行う。
【００１４】
ここで、今回ラベル作成時の印刷画像の背景画像として地画像が設定されたときに、その背景画像に連続する地画像を、印刷画像の前端より所定の前余印刷長さＬＡＳ分前方の位置から印刷画像の前端まで余分に、余印刷として印刷した後、印刷画像の前端で前カット処理を行うとともに、印刷画像の後端から所定の後余印刷長さＬＡＥ分後方の位置まで余分に、余印刷として印刷した後、印刷画像の後端で後カット処理を行う。この場合、所定の前余印刷長さＬＡＳ分前方の位置まで余分に地画像を印刷してから前カット処理を行うので、前カットのカット位置の精度が高くなくても、前カット端まできれいに地画像が印刷されたラベルが得られる。また、所定の後余印刷長さＬＡＥ分後方の位置まで余分に地画像を印刷してから後カット処理を行うので、後カットのカット位置の精度が高くなくても、後カット端まできれいに地画像が印刷されたラベルが得られる。なお、この場合の前余印刷長さＬＡＳと後余印刷長さＬＡＥは、その長さを統一（ＬＡＳ＝ＬＡＥと）しても良いし、個別に定めても良い。
【００１５】
また、このテープ印刷装置では、前回ラベル作成時に背景画像として地画像が設定されていたときには、今回ラベル作成時には、テープの前端から所定の余印刷長さＬＡ（ＬＡ＝ＬＡＥ＋α、ここでαは０以上の所定値）分以上後方の位置で前カット処理を行うので、前回ラベル作成時の地画像が今回ラベル作成時の前カット処理後に残ることがない。なお、ここで、所定値αはカット位置の精度（誤差）等を考慮して定めておけばよい。例えば前カットのカット位置の精度が高くなくても、それに合わせて所定値αを大きめに定めておけば、前回ラベル作成時の地画像が残ることが無い。すなわち仮に今回ラベル作成時の背景画像として空白画像が設定されていても、前カット端まできれいなラベルが得られる。したがって、このテープ印刷装置では、本体画像およびその背景画像を有する印刷画像をテープに印刷し、その背景画像としてテープの地色や地模様などの地画像を演出できるとともに、カット位置の精度が高くなくても、カット端まできれいなラベルを得ることができる。
【００１６】
また、上述のテープ印刷装置の制御方法において、前記印刷制御工程は、作成する前記ラベルの前端と前記テープの前端と前記カッタによるカット位置とが一致するまでの前カット制御を行う前カット制御工程と、前記前カット制御終了後に、前記後カット処理を実行するまでの後カット制御を行う後カット制御工程と、を有することが好ましい。
【００１８】
一般に、いわゆる前カット処理は、作成する（作成しようとする）ラベルの前端でテープをカットする処理である。このため、前カット処理後には、作成するラベルの前端とテープの前端とカッタによるカット位置とが一致する。逆に言えば、これらが最初から一致する場合、前カット処理は省略できる。すなわち、ここでは、前カット処理を省略するという制御を含めて、前カット制御としている。このテープ印刷装置の制御方法では、印刷制御として、作成するラベルの前端とテープの前端とカット位置とが一致するまでの前カット制御を行い、前カット制御終了後に、後カット処理を実行するまでの後カット制御を行うので、後カット制御開始時には、作成するラベルの前端とテープの前端とカッタによるカット位置とが一致している。また、この状態では、作成するラベルの長さ（すなわち印刷画像長さ）ＬＲのうちのヘッドカッタ間長さＬＤ分は、すでに印刷ヘッドによる印刷位置より下流にある。すなわち、前カット制御によりラベルの長さ（印刷画像長さ）ＬＲのうちのＬＤ分を用意（作成）し、後カット制御によりＬＲ−ＬＤ分を用意（作成）すれば良く、各制御を分けて扱うことができる。
【００１９】
また、上述のテープ印刷装置の制御方法において、前記前カット制御工程は、印刷を伴わずにまたは前記空白画像の印刷を行いながら第１テープ送り長さＬＴ１（ＬＴ１≧０）分だけ前記テープを下流に送る第１テープ送りを行う第１テープ送り工程と、前記第１テープ送り終了後に、印刷を行いながら第１印刷長さＬＰ１（ＬＰ１≧０）分だけ前記テープを下流に送る第１印刷を行う第１印刷工程と、前記第１印刷終了後に、前記前カット処理を行う前カット工程と、を有し、前記印刷制御条件に、前記第１テープ送り長さＬＴ１および前記第１印刷長さＬＰ１が含まれることが好ましい。
【００２１】
このテープ印刷装置の制御方法では、前カット制御により、印刷を伴わずに（または空白画像の印刷を行いながら）第１テープ送り長さＬＴ１（ＬＴ１≧０）分だけテープを下流に送る第１テープ送りを行い、第１テープ送り終了後に、印刷を行いながら第１印刷長さＬＰ１（ＬＰ１≧０）分だけテープを下流に送る第１印刷を行い、第１印刷終了後に、前カット処理を行う。この場合、印刷制御条件に、第１テープ送り長さＬＴ１および第１印刷長さＬＰ１が含まれるので、これらの制御は容易である。すなわち、第１テープ送りおよび第１印刷は、単にそれぞれの長さである第１テープ送り長さＬＴ１および第１印刷長さＬＰ１の分だけ行えばよい。なお、上記の第１テープ送りでは、テープ送りのみの制御としても良いし、空白画像の印刷を行うことにより、実質的に（結果的に）印刷を伴わないようにしても良い。
【００２２】
また、この場合、例えば第１テープ送り長さＬＴ１≧０であり、ＬＴ１＝０の場合を含むので、テープの前端から直接第１印刷を行う場合でも、単に印刷制御条件として第１テープ送り長さＬＴ１＝０を設定すれば、同一制御で対応できる。第１印刷についても同様であり、第１印刷長さＬＰ１＝０の場合を含むので、処理が不要な場合でも、単に印刷制御条件としてＬＰ１＝０を設定するだけで、同一制御で対応できる。したがって、このテープ印刷装置の制御方法では、背景画像として地画像が設定されたか否かを含む所定の印刷条件が異なっても、その印刷条件に基づいて、印刷画像を印刷するときの印刷制御条件を設定することにより、同一制御で対応できる。なお、以下の説明では、必要に応じて各長さＬＴ１およびＬＰ１と各処理との対応を付記する。
【００２３】
また、上述のテープ印刷装置の制御方法において、前記前カット制御工程は、前記今回ラベル作成時の前記前カット処理が必要か否かを判別して、必要でないときに、前記前カット処理までの処理を省略する前カット省略判別工程をさらに有することが好ましい。
【００２５】
このテープ印刷装置の制御方法では、前カット制御により、今回ラベル作成時の前カット処理が必要か否かを判別して、必要でないときに、前カット処理までの処理を省略するので、全体の処理時間を短縮可能になる。また、通常、今回ラベル作成開始時のテープの前端は、前回ラベル作成時に後カット処理を行った状態（すなわちカット位置）にあるので、例えば第１テープ送り長さＬＴ１＝第１印刷長さＬＰ１＝０であれば、前カットは不要と判別できる。すなわち、第１テープ送り長さＬＴ１＝第１印刷長さＬＰ１＝０の場合に、第１テープ送り、第１印刷および前カット処理を行っても、その前カット処理が空振りになるだけで実害はないが、これらを省略することで、処理時間の短縮が図れる。
【００２６】
また、上述の印刷制御工程が前カット制御工程と後カット制御工程を有する各制御方法において、前記後カット制御工程は、前記前カット制御終了後に、印刷を行いながら第２印刷長さＬＰ２（ＬＰ２≧０）分だけ前記テープを下流に送る第２印刷を行う第２印刷工程と、前記第２印刷終了後に、印刷を伴わずにまたは前記空白画像の印刷を行いながら第２テープ送り長さＬＴ２（ＬＴ２≧０）分だけ前記テープを下流に送る第２テープ送りを行う第２テープ送り工程と、前記第２テープ送り終了後に、前記後カット処理を行う後カット工程と、を有し、前記印刷制御条件に、前記第２印刷長さＬＰ２および前記第２テープ送り長さＬＴ２が含まれることが好ましい。
【００２８】
このテープ印刷装置の制御方法では、後カット制御により、前カット制御終了後に、印刷を行いながら第２印刷長さＬＰ２（ＬＰ２≧０）分だけテープを下流に送る第２印刷を行い、第２印刷終了後に、印刷を伴わずに（または空白画像の印刷を行いながら）第２テープ送り長さＬＴ２（ＬＴ２≧０）分だけテープを下流に送る第２テープ送りを行い、第２テープ送り終了後に、後カット処理を行う。この場合、印刷制御条件に、第２印刷長さＬＰ２および第２テープ送り長さＬＴ２が含まれるので、第２印刷および第２テープ送りは、単に各長さＬＰ２およびＬＴ２の分だけ行えばよく、前述と同様に、これらの制御は容易である。また、同様に、上記の第２テープ送りでは、テープ送りのみの制御としても良いし、空白画像の印刷を行うことにより、実質的に（結果的に）印刷を伴わないようにしても良い。
【００２９】
また、同様に、それぞれ、第２印刷長さＬＰ２＝０、第２テープ送り長さＬＴ２＝０の場合を含むので、各処理が不要な場合でも、単に印刷制御条件として各長さに０を設定するだけで、同一制御で対応できる。したがって、このテープ印刷装置の制御方法では、背景画像として地画像が設定されたか否かを含む所定の印刷条件が異なっても、その印刷条件に基づいて、印刷画像を印刷するときの印刷制御条件を設定し、同一制御で対応してラベルを作成できる。なお、以下の説明では、必要に応じて各長さＬＰ２およびＬＴ２と各処理との対応を付記する。
【００３０】
また、上述の前カット制御工程と後カット制御工程を有する各制御方法において、前記後カット制御工程では、前記今回ラベル作成時の背景画像として前記地画像が設定された場合、前記印刷画像の長さを印刷画像長さＬＲとしたときに、前記前カット制御終了後に、ＬＲ−ＬＤ分の前記主印刷を行い、その後、前記後余印刷長さＬＡＥ分の前記余印刷を行い、その後、ＬＤ−ＬＡＥ分のテープ送りを行い、その後、前記後カット処理を行うことが好ましい。
【００３２】
このテープ印刷装置の制御方法では、今回ラベル作成時の背景画像として地画像が設定された場合、印刷画像の長さを印刷画像長さＬＲとしたときに、後カット制御により、前カット制御終了後に、ＬＲ−ＬＤ分の主印刷を行い、その後、後余印刷長さＬＡＥ分の余印刷を行い（ＬＰ２＝ＬＲ−ＬＤ＋ＬＡＥ）、その後、（ＬＴ２＝）ＬＤ−ＬＡＥ分のテープ送りを行い、その後、後カット処理を行う。これにより、今回ラベル作成時の背景画像として地画像が設定された場合に、その背景画像に連続する地画像を、印刷画像の後端から所定の後余印刷長さＬＡＥ分後方の位置まで余分に、余印刷として印刷した後、印刷画像の後端で後カット処理を行うことができ、この結果、後カットのカット位置の精度が高くなくても、後カット端まできれいに地画像が印刷されたラベルが得られる。
【００３３】
また、上述の前および後カット制御工程を有する各制御方法において、前記後カット制御工程では、前記今回ラベル作成時の背景画像として前記空白画像が設定された場合、前記印刷画像の長さを印刷画像長さＬＲとしたときに、前記前カット制御終了後に、ＬＲ−ＬＤ分の前記主印刷を行い、その後、ＬＤ分のテープ送りを行い、その後、前記後カット処理を行うことが好ましい。
【００３５】
このテープ印刷装置の制御方法では、後カット制御により、今回ラベル作成時の背景画像として空白画像が設定された場合、印刷画像の長さを印刷画像長さＬＲとしたときに、前カット制御終了後に、（ＬＰ２＝）ＬＲ−ＬＤ分の主印刷を行い、その後、（ＬＴ２＝）ＬＤ分のテープ送りを行い、その後、後カット処理を行う。前述のように、後カット制御開始時には、作成するラベルの前端とテープの前端とカッタによるカット位置とは一致し、作成するラベルの長さ（すなわち印刷画像長さ）ＬＲのうち、ヘッドカッタ間長さＬＤ分はすでに印刷ヘッドによる印刷位置より下流にあるので、後カット制御により、（ＬＰ２＝）ＬＲ−ＬＤ分の主印刷（印刷画像の印刷）を行えば、印刷画像の全ての印刷が終了する。また、その主印刷終了時点では、印刷画像の後端が印刷ヘッドによる印刷位置にあるので、主印刷終了後、（ＬＴ２＝）ＬＤ分のテープ送りを行えば、印刷画像の後端がカット位置と一致する。このため、その状態でテープをカットすれば、印刷画像の後端でテープをカットできる。すなわち、上記の制御により、所望の印刷画像の印刷（主印刷）を全て終了し、かつその印刷画像の後端でテープをカットする後カット処理を行うことができる。
【００３６】
また、上述の前および後カット制御工程を有する各制御方法において、前記後カット制御工程では、前記今回ラベル作成時の背景画像として前記空白画像が設定された場合、前記印刷画像の長さを印刷画像長さＬＲとし、前記印刷画像のうちの前記本体画像の後端から前記印刷画像の後端までの空白画像の長さを後空白長さＬＢＥとしたときに、前記前カット制御終了後に、ＬＲ−ＬＤ−ＬＢＥ分の前記主印刷を行い、その後、ＬＤ＋ＬＢＥ分のテープ送りを行い、その後、前記後カット処理を行うことが好ましい。
【００３８】
このテープ印刷装置の制御方法では、今回ラベル作成時の背景画像として空白画像が設定された場合、印刷画像の長さを印刷画像長さＬＲとし、印刷画像のうちの本体画像の後端から印刷画像の後端までの空白画像の長さを後空白長さＬＢＥとしたときに、後カット制御により、前カット制御終了後に、（ＬＰ２＝）ＬＲ−ＬＤ−ＬＢＥ分の主印刷を行い、その後、（ＬＴ２＝）ＬＤ＋ＬＢＥ分のテープ送りを行い、その後、後カット処理を行う。前述と同様に、後カット制御開始時には、印刷画像長さＬＲのうち、ヘッドカッタ間長さＬＤ分はすでに印刷ヘッドによる印刷位置より下流にあるので、印刷画像のうちの本体画像の後端から印刷画像の後端までの空白画像の長さを後空白長さＬＢＥとしたときに、前カット制御終了後に、（ＬＰ２＝）ＬＲ−ＬＤ−ＬＢＥ分の主印刷（印刷画像の印刷）を行えば、印刷画像の本体画像の全ての印刷が終了し、その時点では、本体画像の後端が印刷ヘッドによる印刷位置にあるので、その後、（ＬＴ２＝）ＬＤ＋ＬＢＥ分のテープ送りを行えば、印刷画像の後端がカット位置と一致する。このため、その状態でテープをカットすれば、印刷画像の後端でテープをカットできる。すなわち、上記の制御により、空白画像の印刷を省略して所望の印刷画像の印刷（主印刷）を全て終了し、かつその印刷画像の後端でテープをカットする後カット処理を行うことができる。
【００３９】
また、上述の前および後カット制御工程を有する各制御方法において、前記前カット制御工程では、前記今回ラベル作成時の背景画像として前記地画像が設定された場合、前記前余印刷長さＬＡＳ分の前記余印刷を行い、その後、前記印刷画像の前端から前記ヘッドカッタ間長さＬＤ分の前記主印刷を行い、その後、前記前カット処理を行うことが好ましい。
【００４１】
このテープ印刷装置の制御方法では、今回ラベル作成時の背景画像として地画像が設定された場合、前カット制御により、前余印刷長さＬＡＳ分の余印刷を行い、その後、印刷画像の前端からヘッドカッタ間長さＬＤ分の主印刷を行い（ＬＴ１＝０、ＬＰ１＝ＬＡＳ＋ＬＤ）、その後、前カット処理を行う。これにより、今回ラベル作成時の背景画像として地画像が設定された場合に、前記地画像を、印刷画像の前端より所定の前余印刷長さＬＡＳ分前方の位置から印刷画像の前端まで余分に、余印刷として印刷して、印刷画像の前端で前カット処理を行うことができ、この結果、前カットのカット位置の精度が高くなくても、前カット端まできれいに地画像が印刷されたラベルが得られる。なお、通常、カット端をきれいにするために必要な余印刷長さＬＡは、ヘッドカッタ間長さＬＤより小さくて良いので、この場合、ＬＡ≦ＬＤと定めておくだけで、前回ラベル作成時に背景画像として地画像が設定されていたか否かに拘わらず、今回ラベル作成時には、テープの前端から所定の余印刷長さＬＡ分以上後方の位置で前カット処理を行うことになる。
【００４２】
また、上述の前・後カット制御工程を有する各制御方法において、前記印刷制御工程では、前記今回ラベル作成時の背景画像として前記空白画像が設定された場合、前記印刷画像の前端から前記本体画像の前端までの空白画像の長さである前空白長さＬＢＳ分の前記主印刷を省略することが好ましい。
【００４４】
このテープ印刷装置の制御方法では、今回ラベル作成時の背景画像として空白画像が設定された場合、印刷制御により、印刷画像の前端から本体画像の前端までの空白画像の長さである前空白長さＬＢＳ分の主印刷を省略する。すなわち、今回ラベル作成時の背景画像として空白画像が設定された場合、印刷画像の前端から本体画像の前端までは、背景画像として設定された空白画像のみとなるので、この前空白長さＬＢＳ分の主印刷は省略できる。一般に、前回ラベル作成時に後カット処理を行った状態（すなわち今回ラベル作成時の前カット制御開始時の状態）では、印刷ヘッドによる印刷位置からカッタによるカット位置までの間のテープ（すなわち前カット制御開始時のヘッドカッタ間のテープ）に空白部分（何も印刷していない部分）が残っている。前空白長さＬＢＳ分の主印刷を省略すれば、印刷画像の前端を前カット制御開始時の印刷位置に合わせる必要が無くなり、ヘッドカッタ間のテープの空白部分の一部または全部を前空白長さＬＢＳ分の空白画像の一部または全部と見なすことができる。すなわち、前空白長さＬＢＳ分の主印刷を省略することにより、省略しないのに比べて、ヘッドカッタ間長さＬＤ分のテープのうちの一部または全部を、作成するラベルの一部として利用できる分だけ、テープの無駄を低減できる。
【００４５】
また、今回ラベル作成時に前余白長さＬＢＳ分の主印刷を省略可能な上述のテープ印刷装置の制御方法において、前記前カット制御工程では、前記今回ラベル作成時の背景画像として前記空白画像が設定された場合、前記ヘッドカッタ間長さＬＤ、前記余印刷長さＬＡおよび前記前空白長さＬＢＳの関係が、ＬＤ−ＬＡ＞ＬＢＳの判定条件を満たすときに、前記本体画像の前端からＬＤ−ＬＢＳ分の前記主印刷を行った後、前記前カット処理を行うことが好ましい。
【００４７】
このテープ印刷装置の制御方法では、今回ラベル作成時の背景画像として空白画像が設定された場合、ヘッドカッタ間長さＬＤ、余印刷長さＬＡおよび前空白長さＬＢＳの関係が、ＬＤ−ＬＡ＞ＬＢＳの判定条件を満たすときに、前カット制御により、（ＬＴ１＝０かつ）本体画像の前端から（ＬＰ１＝）ＬＤ−ＬＢＳ分の主印刷を行った後、前カット処理を行う。前述のように、前回ラベル作成時の後カット制御により、今回ラベル作成時の前カット制御開始時のヘッドカッタ間に、ヘッドカッタ間長さＬＤ分のテープが残っている。このため、この状態で、（ＬＴ１＝０かつ）本体画像の前端から（ＬＰ１＝）ＬＤ−ＬＢＳ分の主印刷を行うと、印刷位置より下流に２ＬＤ−ＬＢＳ分のテープが存在し、そのうちカット位置より下流にＬＤ−ＬＢＳ分のテープが存在する状態になる。すなわち、この状態で前カット処理を行うと、ＬＤ−ＬＢＳ分のテープがカットされる。
【００４８】
ここで、前回ラベル作成時に背景画像として地画像が設定されていたときには、前回ラベル作成時の後余印刷により、後余印刷長さＬＡＥ分の地画像が今回ラベル作成時の前カット制御開始時のテープの前端に残っている。これに対し、テープの前端からＬＤ−ＬＢＳ分のテープがカットされ、ＬＤ−ＬＡ＞ＬＢＳにより、ＬＤ−ＬＢＳ＞ＬＡ（＝ＬＡＥ＋α）なので、前回ラベル作成時に背景画像として地画像が設定されていたとしても、その地画像が前カット処理後に残ることはない。また、この場合、前カット処理後にヘッドカッタ間に残ったヘッドカッタ間長さＬＤのテープには、前端（カット位置に近い方：前カット端）から前空白長さＬＢＳ分の空白画像に続いて、印刷画像の本体画像の前端からＬＤ−ＬＢＳ分が印刷されていることになる。したがって、前空白長さＬＢＳ分の主印刷を省略することにより、省略しないのに比べて、ヘッドカッタ間長さＬＤ分のテープのうちのＬＢＳ分をラベルの一部として利用できる分だけ、テープの無駄を低減でき、かつ、前カット端まできれいなラベルが得られる。
【００４９】
また、上述の前余白長さＬＢＳ分の主印刷が省略可能な各制御方法において、前記前カット制御工程では、前記今回ラベル作成時の背景画像として前記空白画像が設定され、かつ前記前回ラベル作成時の背景画像として前記地画像が設定されていた場合、前記ヘッドカッタ間長さＬＤ、前記余印刷長さＬＡおよび前記前空白長さＬＢＳの関係が、ＬＤ−ＬＡ≦ＬＢＳ＜ＬＤの判定条件を満たすときに、ＬＡ＋ＬＢＳ−ＬＤ分のテープ送りを行い、その後、前記本体画像の前端からＬＤ−ＬＢＳ分の前記主印刷を行い、その後、前記前カット処理を行うことが好ましい。
【００５１】
このテープ印刷装置の制御方法では、今回ラベル作成時の背景画像として空白画像が設定され、かつ前回ラベル作成時の背景画像として地画像が設定されていた場合、ヘッドカッタ間長さＬＤ、余印刷長さＬＡおよび前空白長さＬＢＳの関係が、ＬＤ−ＬＡ≦ＬＢＳ＜ＬＤの判定条件を満たすときに、前カット制御により、（ＬＴ１＝）ＬＡ＋ＬＢＳ−ＬＤ分のテープ送りを行い、その後、本体画像の前端から（ＬＰ１＝）ＬＤ−ＬＢＳ分の主印刷を行い、その後、前カット処理を行う。前述と同様に、今回ラベル作成時の前カット制御開始時のヘッドカッタ間に、ヘッドカッタ間長さＬＤ分のテープが残っている状態で、（ＬＴ１＝）ＬＡ＋ＬＢＳ−ＬＤ分のテープ送りを行うと、印刷位置より下流にＬＡ＋ＬＢＳ分のテープが存在し、そのうちカット位置より下流にＬＡ＋ＬＢＳ−ＬＤ分のテープが存在する状態となる。この状態で、本体画像の前端から（ＬＰ１＝）ＬＤ−ＬＢＳ分の主印刷を行うと、印刷位置より下流にＬＡ＋ＬＤ分のテープが存在し、そのうちカット位置より下流にＬＡ分のテープが存在する状態になる。すなわち、この状態で前カット処理を行うと、ＬＡ分のテープがカットされる。
【００５２】
上記のように前回ラベル作成時に背景画像として地画像が設定されていた場合には、前述のように、後余印刷長さＬＡＥ分の地画像が今回ラベル作成時の前カット制御開始時のテープの前端に残っているが、前カット処理により余印刷長さＬＡ（＝ＬＡＥ＋α）分のテープがカットされるので、その地画像が前カット処理後に残ることはない。また、この場合、前カット処理後にヘッドカッタ間に残ったヘッドカッタ間長さＬＤのテープには、前カット端から前空白長さＬＢＳ分の空白画像に続いて、印刷画像の本体画像の前端からＬＤ−ＬＢＳ分が印刷されていることになる。したがって、ヘッドカッタ間長さＬＤ分のテープのうちのＬＢＳ分をラベルの一部として利用でき、その分だけ、テープの無駄を低減でき、かつ、前カット端まできれいなラベルが得られる。
【００５３】
また、上述の前余白長さＬＢＳ分の主印刷が省略可能な各制御方法において、前記前カット制御工程では、前記今回ラベル作成時の背景画像として前記空白画像が設定され、かつ前記前回ラベル作成時の背景画像として前記地画像が設定されていた場合、前記ヘッドカッタ間長さＬＤおよび前記前空白長さＬＢＳの関係が、ＬＤ≦ＬＢＳの判定条件を満たすときに、前記余印刷長さＬＡ分のテープ送りを行った後、前記前カット処理を行うことが好ましい。
【００５５】
このテープ印刷装置の制御方法では、今回ラベル作成時の背景画像として空白画像が設定され、かつ前回ラベル作成時の背景画像として地画像が設定されていた場合、ヘッドカッタ間長さＬＤおよび前空白長さＬＢＳの関係が、ＬＤ≦ＬＢＳの判定条件を満たすときに、前カット制御により、（ＬＴ１＝）余印刷長さＬＡ分のテープ送りを行った後（かつＬＰ１＝０）、前カット処理を行う。前述と同様に、今回ラベル作成時の前カット制御開始時のヘッドカッタ間に、ヘッドカッタ間長さＬＤ分のテープが残っている状態で、（ＬＴ１＝）ＬＡ分のテープ送りを行うと、印刷位置より下流にＬＡ＋ＬＤ分のテープが存在し、そのうちカット位置より下流にＬＡ分のテープが存在する状態となる。この状態で（ＬＰ１＝０かつ）前カット処理を行うと、ＬＡ分のテープがカットされる。
【００５６】
前回ラベル作成時に背景画像として地画像が設定されていると、後余印刷長さＬＡＥ分の地画像が今回ラベル作成時の前カット制御開始時のテープの前端に残っているが、前カット処理により余印刷長さＬＡ（＝ＬＡＥ＋α）分のテープがカットされるので、その地画像が前カット処理後に残ることはない。また、この場合、前カット処理後にヘッドカッタ間に残ったヘッドカッタ間長さＬＤ分のテープは、ＬＤ≦ＬＢＳなので、全て前空白長さＬＢＳ分の空白画像の一部になる。したがって、ヘッドカッタ間長さＬＤ分のテープは全てＬＢＳ分の一部として利用でき、テープの無駄を低減でき、かつ、前カット端まできれいなラベルが得られる。
【００５７】
また、上述の前余白長さＬＢＳ分の主印刷が省略可能な各制御方法において、前記前カット制御工程では、前記今回ラベル作成時の背景画像として前記空白画像が設定され、かつ前記前回ラベル作成時の背景画像として前記空白画像が設定されていた場合、前記ヘッドカッタ間長さＬＤおよび前記前空白長さＬＢＳの関係が、ＬＤ＞ＬＢＳの判定条件を満たすときに、前記本体画像の前端からＬＤ−ＬＢＳ分の前記主印刷を行った後、前記前カット処理を行うことが好ましい。
【００５９】
このテープ印刷装置の制御方法では、今回ラベル作成時の背景画像として空白画像が設定され、かつ前回ラベル作成時の背景画像として空白画像が設定されていた場合、ヘッドカッタ間長さＬＤおよび前空白長さＬＢＳの関係が、ＬＤ＞ＬＢＳの判定条件を満たすときに、前カット制御により、（ＬＴ１＝０かつ）本体画像の前端から（ＬＰ１＝）ＬＤ−ＬＢＳ分の主印刷を行った後、前カット処理を行う。前述と同様に、今回ラベル作成時の前カット制御開始時のヘッドカッタ間に、ヘッドカッタ間長さＬＤ分のテープが残っている状態で、（ＬＴ１＝０かつ）本体画像の前端から（ＬＰ１＝）ＬＤ−ＬＢＳ分の主印刷を行うと、印刷位置より下流に２ＬＤ−ＬＢＳ分のテープが存在し、そのうちカット位置より下流にＬＤ−ＬＢＳ分のテープが存在する状態となる。すなわち、この状態で前カット処理を行うと、ＬＤ−ＬＢＳ分のテープがカットされる。
【００６０】
この場合、前回ラベル作成時に背景画像として地画像が設定されていないので、地画像が前カット処理後に残ることはない。また、この場合、前カット処理後にヘッドカッタ間に残ったヘッドカッタ間長さＬＤのテープには、前カット端から前空白長さＬＢＳ分の空白画像に続いて、印刷画像の本体画像の前端からＬＤ−ＬＢＳ分が印刷されていることになる。したがって、ヘッドカッタ間長さＬＤ分のテープのうちのＬＢＳ分をラベルの一部として利用でき、その分だけ、テープの無駄を低減でき、かつ、前カット端まできれいなラベルが得られる。
【００６１】
また、上述の前余白長さＬＢＳ分の主印刷が省略可能な各制御方法において、前記前カット制御工程では、前記今回ラベル作成時の背景画像として前記空白画像が設定され、かつ前記前回ラベル作成時の背景画像として前記空白画像が設定されていた場合、前記ヘッドカッタ間長さＬＤおよび前記前空白長さＬＢＳの関係が、ＬＤ≦ＬＢＳの判定条件を満たすときに、前記前カット処理までの処理を省略することが好ましい。
【００６３】
このテープ印刷装置の制御方法では、今回ラベル作成時の背景画像として空白画像が設定され、かつ前回ラベル作成時の背景画像として空白画像が設定されていた場合、ヘッドカッタ間長さＬＤおよび前空白長さＬＢＳの関係が、ＬＤ≦ＬＢＳの判定条件を満たすときに、前カット制御により、前カット処理までの処理を省略する。前述と同様に、今回ラベル作成時の前カット制御開始時のヘッドカッタ間に、ヘッドカッタ間長さＬＤ分のテープが残っているが、前回ラベル作成時に背景画像として空白画像が設定されていて、かつＬＤ≦ＬＢＳなので、ヘッドカッタ間長さＬＤ分のテープは、全て前空白長さＬＢＳ分の空白画像の一部として利用でき、前カット処理は不要となる。したがって、前カット処理までの処理を省略して、ヘッドカッタ間長さＬＤ分のテープを全てＬＢＳ分の一部として利用でき、テープの無駄を低減でき、かつ、前カット端まできれいなラベルが得られる。
【００６４】
また、上述した各制御方法において、前記テープは、前記前カット処理および前記後カット処理によりカットされた部分を貼付対象物に貼付可能なテープであることが好ましい。
【００６６】
このテープ印刷装置の制御方法では、テープが、前カット処理および後カット処理によりカットされた部分を貼付対象物に貼付可能なテープである。すなわち、テープの印刷画像が印刷された部分をカットすることにより、貼付対象物に貼付可能なラベルを作成できる。
【００６７】
また、上述した各制御方法において、前記印刷画像は、インクジェット方式で印刷されることが好ましい。
【００６９】
このテープ印刷装置の制御方法では、印刷画像は、インクジェット方式で印刷される。すなわち、印刷画像をインクジェット方式で印刷するテープ印刷装置に適用できる。
【００７０】
また、上述した各制御方法において、前記印刷画像は、カラーの複数の基本色に分解して印刷され、前記複数の基本色には、カラー３原色が含まれることが好ましい。
【００７２】
このテープ印刷装置の制御方法では、印刷画像は、カラーの複数の基本色に分解して印刷され、複数の基本色には、カラー３原色が含まれる。印刷の場合のカラー３原色としては、例えばＣ（シアン）、Ｍ（マゼンタ）およびＹ（イエロー）の組合せなどが使用される。この場合、いわゆる減法混色により種々の色（カラー）を表現できるので、種々の色の印刷画像を印刷でき、各種のＸＹプロッタやプリンタ等における印刷など、反射光によってカラー表現する場合に適したカラー画像の印刷画像を印刷できる。
【００７３】
また、上述の制御方法において、前記複数の基本色には、前記カラー３原色の混合色に相当する基本色がさらに含まれることが好ましい。
【００７５】
このテープ印刷装置の制御方法では、複数の基本色には、カラー３原色の混合色に相当する基本色がさらに含まれる。カラー画像を複数の基本色のインク等により印刷を行う場合、例えばＣ（シアン）、Ｍ（マゼンタ）、Ｙ（イエロー）のカラー３原色の混合色はＫ（ブラック）となるが、一般に、実際に混色したＫ（ブラック）より、Ｋ（ブラック）のインクを用意して単独で印刷した方がきれいなブラックを得られる。このため、複数の基本色に、カラー３原色の混合色に相当する基本色がさらに含まれることにより、４（基本）色によるきれいなカラー画像を印刷画像として印刷できる。
【００７６】
【発明の実施の形態】
以下、本発明の一実施形態に係るテープ印刷装置およびその制御方法を適用したテープ印刷装置について、添付図面を参照しながら詳細に説明する。まず、図１はテープ印刷装置の外観斜視図であり、図２は、その制御系のブロック図である。
【００７７】
このテープ印刷装置１は、キー入力した所望の文字などに基づいて作成した印刷画像を、印刷テープＴ１にインクジェット方式でカラー印刷すると共に、この印刷テープＴ１の印刷部分を切断してラベルを作成するものである。また、印刷テープＴ１に加えラミネートテープＴ２（図３および図４参照）を搭載することで、この印刷テープＴ１の印刷部分にラミネートテープＴ２を貼着し、この状態で印刷テープＴ１およびラミネートテープＴ２を切断してラミネート済みのラベルを作成することもできる。以下、印刷テープＴ１のみのタイプ、またはそれにラミネートテープＴ２を加えたタイプの、両タイプのテープを代表するときは、「テープＴ」という。
【００７８】
印刷テープＴ１は、基材テープと基材テープの裏面に塗着した粘着層と粘着層に貼着した剥離紙テープとで構成され、基材テープは、紙やコート層を有する紙、あるいはコート層を有するフィルム等のインクを十分吸収できる素材で構成される。粘着層は、ラベルとしての印刷テープをファイルなどの貼付対象物に貼り付けるためのものであり、また剥離紙テープは、この粘着層にゴミなどが付着するのを防止するためのものである。
【００７９】
一方、ラミネートテープＴ２は、基材テープと基材テープの裏面に塗着した粘着層とで構成され、基材テープは、１６〜３８μｍ厚程度の透明なフィルムなどで構成される。また、印刷テープＴ１とほぼ同一幅に形成され、側端を揃え重ねるようにして貼着される。実際には、印刷テープＴ１に対しラミネートテープＴ２がわずかに（０．３mm程度）狭幅に形成され、貼着の際のラミネートテープＴ２の微小な横ずれを吸収できるようになっている。
【００８０】
これら各種のテープＴには、テープ幅４．５mm〜９６mm程度の各種（１０種類程度）のものが用意されている。それぞれテープカートリッジ５に収容された状態で提供され、テープ幅に応じて幅方向２４ドット〜１０２４ドット程度の印刷画像が印刷される。なお、これらのテープＴには、材質の異なるものや、地色が白色以外のものなども用意されており、将来採用されるものも含めれば、少なくとも数十種類のものが使用可能となっている。また、テープカートリッジ５には、印刷テープＴ１およびラミネートテープＴ２を搭載可能なタイプのもの（図４参照）と、印刷テープＴ１のみ搭載可能なタイプがあり、それぞれ幅が異なる「大」、「中」、「小」の３種類のものが用意されている。
【００８１】
図１に示すように、テープ印刷装置１は、装置本体２と、装置本体２の前部に取り付けたキーボード３と、テープＴ（印刷テープＴ１＋ラミネートテープＴ２：図３参照）を収容したテープカートリッジ５と、４色のインクを充填したインクカートリッジ８（図３参照）とで構成されており、テープカートリッジ５およびインクカートリッジ８は、装置本体２に対し着脱自在に装着されている。装置本体２は、装置ケース２３によりその外殻が形成され、装置ケース２３の上部には、テープカートリッジ５およびインクカートリッジ８を着脱するための開閉蓋２１が広く設けられている。また、装置ケース２３の側面には、テープＴを外部に排出するスリット状のテープ排出口２２が形成されている。
【００８２】
キーボード３は、装置本体２に対し起倒自在に取り付けられており、テープ印刷装置１を使用する場合には、キーボード３を引き倒した状態にし、これを携帯する場合には、キーボード３を引き起こした状態にする。また、開閉蓋２１の右前部には、装置本体２に内蔵したディスプレイ４に対応して、小窓２５が形成されている。このキーボード３とディスプレイ４については、さらに後述する。
【００８３】
また、図２に示すように、テープ印刷装置１は、基本的な構成として、キーボード３やディスプレイ４を有してユーザとのインタフェースを行う操作部１１、インクジェット方式の印刷ヘッド７によりテープカートリッジ５のテープＴ（印刷テープＴ１）に印刷を行う印刷部１２、印刷後のテープＴの切断を行う切断部１３、各種センサを有して各種検出を行う検出部１４、各種ドライバを有して各部回路を駆動する駆動部２７０、電源部２９０、および、テープ印刷装置１内の各部を制御する制御部２００を備えている。
【００８４】
このため、装置ケース２３の内部には、印刷部１２、切断部１３、検出部１４などの他、図外の回路基板が収納されている。この回路基板には、電源部２９０の他、駆動部２７０や制御部２００の各回路などが搭載されている。電源部２９０の電源ユニットＥＵは、ＡＣアダプタ接続口２４や外部から着脱可能なニッカド電池等の電池Ｅに接続され、テープ印刷装置１内の各部に電力を供給する。
【００８５】
図３はテープ印刷装置の装置本体の断面図である。図２および図３に示すように、印刷部１２は、両端を図外のフレームに支持されたキャリッジガイド軸３１と、キャリッジガイド軸３１にスライド自在に取り付けられたキャリッジ３２と、正逆走行することでキャリッジ３２を左右方向（テープＴの幅方向）に往復動させる図外のタイミングベルトと、タイミングベルトを正逆走行させるキャリッジモータ（ＣＲモータ）１２２と、送り従動ローラ４２および送り駆動ローラ４３を上下に配設して成る送りローラ４１と、ラミ従動ローラ４５およびラミ駆動ローラ４６を上下に配設して成るラミネートローラ４４と、送り駆動ローラ４３およびラミ駆動ローラ４６を図外の減速歯車列を介して回転駆動させるテープ送りモータ（ＴＦモータ）１２１と、印刷ヘッド７のインクノズルを塞ぐとともに、必要に応じてポンプモータ１２３によりクリーニング処理等を行うヘッドキャップ機構（図示せず）と、テープカートリッジ５をセットするイジェクト機構１２４とを備えている。
【００８６】
また、キャリッジ３２には、その下部にテープＴに印刷を行う印刷ヘッド７が、上部にインクを供給するためのインクカートリッジ８を装着するカートリッジホルダ３４が、それぞれ一体に取り付けられている。この場合、印刷ヘッド７は下向きに取り付けられ、またインクカートリッジ８はカートリッジホルダ３４に下向きに装着される。インクカートリッジ８が装着されると、インクカートリッジ８の各色のインクタンク８ａが印刷ヘッド７に連通し、インクの供給が可能になる。なお、インクタンク８ａには、それぞれＣ（シアン）、Ｍ（マゼンタ）、Ｙ（イエロー）、Ｋ（黒：ブラック）の各色のインクが充填されている。
【００８７】
また、キャリッジ３２には図外の遮光板が突設しており、フォトインタラプタなどから成るホーム位置センサ１４２に臨むと、印刷ヘッド７がホーム位置（図示せず）にあることを検出して、ゼロ点補正等の位置補正を行うようになっている。このホーム位置は、印刷ヘッド７の待機位置であるとともに、印刷のための基準位置となっており、この基準位置からＣＲモータ１２２を所定のステップ数だけ回転させることにより、キャリッジ３２をテープＴの印刷範囲の幅方向の各位置に精度良く移動させ、これと同期して印刷ヘッド７を駆動することにより、テープＴの表面に所望の印刷が行われる。
【００８８】
また、テープカートリッジ５には、ビットパターン等による識別情報を示す識別プレート１１５が設けられていて（図４参照）、キャリッジ３２に搭載したテープ識別センサ１４１が識別プレート１１５に臨むことで、テープカートリッジ５、印刷テープＴ１およびラミネートテープＴ２の種別や、個々の印刷テープＴ１に対する印刷開始位置が、検出されるようになっている。以下、これらの検出信号を「テープ識別信号」という。
【００８９】
送り駆動ローラ４３は装置本体２に設けられ、送り従動ローラ４２はテープカートリッジ５に設けられている。装置本体２にテープカートリッジ５を装着すると、送り従動ローラ４２が送り駆動ローラ４３との間に印刷テープＴ１を挟み込むようにして、これを押圧する。そして、この状態でＴＦモータ１２１を回転させることにより、送り従動ローラ４２と送り駆動ローラ４３との間に挟み込まれた印刷テープＴ１が先方に送られる。
【００９０】
ラミ駆動ローラ４６は装置本体２に設けられ、ラミ従動ローラ４５はテープカートリッジ５に設けられている。装置本体２にテープカートリッジ５を装着すると、ラミ従動ローラ４５がラミ駆動ローラ４６との間に印刷テープＴ１およびラミネートテープＴ２を挟み込むようにして、これらを押圧する。そして。この状態でＴＦモータ１２１が回転することにより、ラミ従動ローラ４５とラミ駆動ローラ４６との間に挟み込まれた印刷テープＴ１とラミネートテープＴ２とが、貼着しながら先方に送られる。
【００９１】
切断部１３は、カッタ５１とそれを切断動作させるカッタモータ１３１とを備えている。印刷が完了後には、テープＴ（印刷テープＴ１＋ラミネートテープＴ２）は、ＴＦモータ１２１によって所定距離だけステップ送りされてから停止するので、この停止と同時に、カッタモータ１３１が駆動され、テープＴの切断が行われる。なお、テープ印刷装置１では、このカッタ５１の切断動作を手動でも行えるように、カットキー３４０を設け、モード設定によって、自動／手動を切り替えられるようにしている。
【００９２】
図２に示すように、検出部１４は、上述のテープ識別センサ１４１、ホーム位置センサ１４２とを備えている。前述のように、テープ識別センサ１４１は、テープカートリッジ５やテープＴの種別および印刷開始位置を検出し、ホーム位置センサ１４２は、印刷ヘッド７がホーム位置に達したことを検出し、それぞれの検出信号（テープ識別信号、位置検出信号）を制御部２００に入力する。なお、実状に合わせて、テープ印刷装置１の各部に電力を供給する電源部２９０の電源ユニットＥＵに接続されてその電位変動を検出する電圧センサ、周囲温度センサ、ヘッド表面温度センサ等の他のセンサを設けることもできるし、一部を省略した構成とすることもできる。
【００９３】
駆動部２７０は、ディスプレイドライバ２７１と、ヘッドドライバ２７２と、モータドライバ２７３とを備えている。ディスプレイドライバ２７１は、制御部２００から出力される制御信号に基づき、その指示に従って、操作部１１のディスプレイ４を駆動する。同様に、ヘッドドライバ２７２は、制御部２００の指示に従って、印刷部１２の印刷ヘッド７を駆動する。また、モータドライバ２７３は、印刷部１２のＴＦモータ１２１を駆動するＴＦモータドライバ２７３ａと、ＣＲモータ１２２を駆動するＣＲモータドライバ２７３ｂと、ポンプモータ１２３を駆動するポンプモータドライバ２７３ｃと、切断部１３のカッタモータ１３１を駆動するカッタモータドライバ２７３ｄとを有し、同様に、制御部２００の指示に従って、各モータを駆動する。
【００９４】
操作部１１は、キーボード３とディスプレイ４とを備えている。ディスプレイ４は、横方向（Ｘ方向）約６cm×縦方向（Ｙ方向）４cmの長方形の形状の内側に、９６ドット×６４ドットの表示画像データを表示可能な表示画面４１を有し、ユーザがキーボード３からデータを入力して、文字（前述のようにキャラクタの意味で使用）を配置した文字列画像やそれを含む印刷画像を表現するマトリクスデータを作成・編集したり、その結果等を視認したり、キーボード３から各種指令・選択指示等を入力したりする際などに用いられる。
【００９５】
キーボード３には、（いずれも図示しない）アルファベットキー群３１１、記号キー群３１２、数字キー群３１３、平仮名や片仮名等の仮名キー群３１４、および外字を呼び出して選択するための外字キー群３１５等を含む文字キー群３１の他、各種の動作モードなどを指定するための機能キー群３２などが配列されている。
【００９６】
機能キー群３２には、（いずれも図示しない）電源キー３２０、印刷動作を指示するための印刷キー３２１、文字サイズや装飾の種類など各種モード等や各種フォーム等を切り換えるための選択画面を表示させるフォームキー３２２、その各種選択画面における各種モード等の選択指示やテキスト入力時のデータ確定・改行等のための選択キー３２３、印刷画像データの印刷色やその中間色（混色）を指定するための色指定キー３２４、文字色や背景色を設定するための色設定キー３２５、並びに、それぞれ上（「↑」）、下（「↓」）、左（「←」）、右（「→」）方向へのカーソル移動や表示画面４１の表示範囲を移動させるための４個のカーソルキー３３０（３３０Ｕ、３３０Ｄ、３３０Ｌ、３３０Ｒ：以下、「カーソル「↑」キー３３０Ｕ」等という）が含まれる。
【００９７】
機能キー群３２には、さらに、各種指示を取り消すための取消キー３２６、各キーの役割を変更したり、描画登録画像データの修正等に用いられるシフトキー３２７、テキスト入力画面や選択画面と印刷画像データの表示画面（イメージ画面）とを相互に切り換えるためのイメージキー３２８、印刷画像データとイメージ画面に表示する表示画像データとの大きさの比率を変更するための比率変更（ズーム）キー３２９、並びに、テープＴを手動でカットするためのカットキー３４０が含まれる。
【００９８】
なお、当然ながら、一般的なキーボードと同様に、これらのキー入力は、各キー入力毎に個別にキーを設けて入力しても良いし、シフトキー３２７等と組み合わせてより少ない数のキーを用いて入力しても良い。ここでは、理解を容易にするために上記の分だけキーがあるものとして説明する。
【００９９】
図２に示すように、キーボード３は、上述のような種々の指令およびデータを制御部２００に入力する。
【０１００】
制御部２００は、ＣＰＵ２１０、ＲＯＭ２２０、キャラクタジェネレータＲＯＭ（ＣＧ−ＲＯＭ）２３０、ＲＡＭ２４０、周辺制御回路（Ｐ−ＣＯＮ）２５０を備え、互いに内部バス２６０により接続されている。
【０１０１】
ＲＯＭ２２０は、ＣＰＵ２１０で処理する制御プログラムを記憶する制御プログラム領域２２１の他、仮名漢字変換テーブル（辞書）、色変換テーブル、文字修飾テーブル、ディザマトリクス、所定の基本的な（規定）ディザマスクなどを含む制御データを記憶する制御データ領域２２２を有している。ＣＧ−ＲＯＭ２３０は、テープ印刷装置１に用意されている文字等のフォントデータを記憶していて、文字等を特定するコードデータが与えられたときに、対応するフォントデータを出力する。
【０１０２】
ＲＡＭ２４０は、電源キー３２０の操作により電源がオフにされても、記憶したデータを保持しておくようにバックアップされていて、各種レジスタ群２４１、ユーザがキーボード３から入力した文字等のテキストデータを記憶するテキストデータ領域２４２、表示画面４１の表示画像データを記憶する表示画像データ領域２４３、印刷画像データを記憶する印刷画像データ領域２４４、描画登録画像データを記憶する描画登録画像データ領域２４５、処理中または処理結果のディザマスクを記憶するディザマスク領域２４６、印刷色等の色パレット情報を記憶する色パレットデータ領域２４７、文字展開バッファ（フォント色バッファ）、色変換バッファ、基本色別配置バッファ、印刷バッファなどの各種バッファ領域２４８などの領域を有し、制御処理のための作業領域として使用される。
【０１０３】
Ｐ−ＣＯＮ２５０には、ＣＰＵ２１の機能を補うとともに各種周辺回路とのインタフェース信号を取り扱うための論理回路が、ゲートアレイやカスタムＬＳＩなどにより構成されて組み込まれている。例えば、種々の計時を行うタイマ（ＴＩＭ）２５１などもＰ−ＣＯＮ２５０内の機能として組み込まれている。このため、Ｐ−ＣＯＮ２５０は、検出部１４の各種センサやキーボード３と接続され、検出部１４からの各種検出信号およびキーボード３からの各種指令や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部２７０に出力する。
【０１０４】
そして、ＣＰＵ２１０は、上記の構成により、ＲＯＭ２２０内の制御プログラムに従って、Ｐ−ＣＯＮ２５０を介してテープ印刷装置１内の各部から各種信号・データ等を入力し、ＣＧ−ＲＯＭ２３０からのフォントデータ、ＲＡＭ２４０内の各種データ等を処理し、Ｐ−ＣＯＮ２５０を介してテープ印刷装置１内の各部に各種信号・データ等を出力することにより、印刷の位置制御、表示画面４１の表示制御等を行うとともに、印刷ヘッド７を制御して所定の印刷条件でテープＴに印刷するなど、テープ印刷装置１全体を制御している。
【０１０５】
次に、テープ印刷装置１の制御全体の処理フローについて、図５を参照して説明する。電源キー３２０を押すこと（電源オン）により処理が開始すると、同図に示すように、まず、テープ印刷装置１を、前回の電源オフ時の状態に戻すために、退避していた各制御フラグを復旧するなどの初期設定を行い（Ｓ１）、次に、前回の表示画面を初期画面として表示する（Ｓ２）。
【０１０６】
図５のその後の処理、すなわちキー入力か否かの判断分岐（Ｓ３）および各種割込処理（Ｓ４）は、概念的に示した処理である。実際には、テープ印刷装置１では、初期画面表示（Ｓ２）が終了すると、キー入力割込を許可し、キー入力割込が発生するまでは、そのままの状態を維持し（Ｓ３：Ｎｏ）、何らかのキー入力割込が発生すると（Ｓ３：Ｙｅｓ）、それぞれの割込処理に移行して（Ｓ４）、その割込処理が終了すると、再度、その状態を維持する（Ｓ３：Ｎｏ）。
【０１０７】
上述のように、テープ印刷装置１では、主な処理を割込処理により行うので、印刷画像の印刷準備ができていれば、ユーザが任意の時点で印刷キー３２１を押すことにより、印刷処理割込が発生して、印刷処理が起動され、印刷画像の印刷ができる。
【０１０８】
図６は、テープ印刷装置１における典型的な画像作成・印刷処理を示すフローチャートである。この処理（Ｓ１０）では、同図に示すように、まず、文字等をテキスト入力する（Ｓ２０）。より具体的には、ディスプレイ４により確認しながら、キーボード３により、まず、任意のキャラクタ（以下「文字」で代表する）を並べたキャラクタ列（文字列）を入力して色等の指定を行う。すなわち、例えば１行目に「ＡＢＣＤＥＦ」、２行目に「ＧＨＩＪＫＬ」などのように文字を入力し（Ｓ２１：図７（ａ）参照）、次に、文字等のサイズや装飾を指定し（Ｓ２２）、色指定等を行う（Ｓ２３）。
【０１０９】
この場合、サイズや装飾はフォームキー３２２により選択画面を表示させて、カーソルキー３３０により選択肢を反転表示させ、選択キー３２３により確定することにより選択して指定する。また、色指定は、ディスプレイ４の表示画面４１上で、Ｃ（シアン）、Ｍ（マゼンタ）、Ｙ（イエロー）の階調値を、所定の色変換テーブルに規定された色情報に基づいて色指定キー３２４により指定し、文字やその背景を色設定キー３２５により指示して設定する。ここでは、本体画像となる文字の印刷色（文字色）としてＫ（ブラック）を指定し、背景の印刷色（背景色）としてＹ（イエロー）を指定する。
【０１１０】
なお、この背景色はテープＴの地色を演出するものであり、テープ印刷装置１では、この他、描画登録された描画登録画像のうちの１以上を組み合わせ配置してテープの地模様を演出することができ、この場合、色指定等（Ｓ２３）においてディスプレイ４上で単位画像を組み立てて選択キー３２３により確定後、色指定の場合と同様に（模様も一種の色の組合せと見なして）、背景を色設定キー３２５により指示して設定する。もちろん、この単位画像にも任意の色彩を設定することができる。そして、これにより、背景画像としてその単位画像を連続して規則的に配置した地模様を演出できる。以下、このテープＴの地色または地模様を総称して「地画像」というが、図示およびその説明上は煩雑さを避けて、上述のように、地画像としてＹ（イエロー）の無地を設定して地色のみを演出するものとする。また、背景画像としてこの地画像を設定しないときには、背景画像として何も印刷しない空白画像が設定される。
【０１１１】
図６に示すように、文字列「ＡＢＣＤＥＦ」等のテキスト入力（Ｓ２０）が終了し、印刷キー３２１により印刷が指示されると（Ｓ３０）、印刷画像を表現する印刷画像データを作成する（Ｓ４０）。なお、一般的な画像は、例えば有効画素を「１」、無効画素を「０」とした２値マトリクス（ドットマトリクス）の画像データなどで表現でき、装置内での実際の処理は画像データに対して行われる。すなわち、例えば印刷画像はそれを表現する印刷画像データに基づいて印刷されたときに印刷画像となるが、以下では、説明を簡略化して、例えば「印刷画像を表現する印刷画像データを作成する」を「印刷画像を作成する」のように説明する。したがって、ここでは、印刷画像を作成する（Ｓ４０）。
【０１１２】
なお、地画像はテープの地色や地模様を演出するものなので、いわゆる定長設定等により前後の余白等が設けられる場合、その余白等にも印刷される。このため、この印刷画像にはこの種の前後の余白等も含まれる。そして、印刷画像の作成が終了すると（Ｓ５０）、その印刷画像の印刷および印刷画像の前後端でのカット処理を行って、所望のラベルを作成後（Ｓ５０）、画像作成・印刷処理（Ｓ１０）を終了する（Ｓ６０）。
【０１１３】
上記の処理（Ｓ１０）により、例えば図７（ａ）に示すようなラベルＲ０を作成できる。すなわち、文字列「ＡＢＣＤＥＦ」〜「ｖｗｘｙｚ」等の文字列画像であるＫ（ブラック）に指定された本体画像ＡＧＧ（Ｋ）が印刷され、その本体画像ＡＧＧ（Ｋ）の背景画像として、印刷画像の長さを印刷画像長さ（ここではラベルの長さに等しい）ＬＲとしたときのその印刷画像長さＬＲ分の領域に、テープＴの地画像（地色）を演出してＹ（イエロー）に指定された背景画像ＢＧＧ（Ｙ）が印刷されたラベルＲ０を作成できる。ここで、各画像の（）内は指定色を示している。
【０１１４】
上述のように、テープ印刷装置１では、例えば本体画像ＡＧＧ（Ｋ）およびその背景画像ＢＧＧ（Ｙ）を有する印刷画像を、印刷対象物であるテープＴに主印刷として印刷し、テープＴを印刷画像の前端でカットする前カット処理および印刷画像の後端でカットする後カット処理を行うことにより、印刷画像が印刷されたラベルＲ０を作成する。また、このテープ印刷装置１では、背景画像として何も印刷しない空白画像（テープＴ本来の色を仮に白（ホワイト）とし、以下、空白画像が設定された場合の背景画像を背景画像ＢＧＧ（Ｗ）として図示および説明する）を設定する空白画像設定、並びに、背景画像としてテープの地色および地模様の少なくとも一方を演出する地画像を設定する地画像設定を含む複数種類の背景画像設定のうちの１つを選択して設定するので、テープＴとしては（例えば白地の）１種類で済む。
【０１１５】
以下、図示およびその説明の簡略化のため、例えば図７（ａ）を同図（ｂ）のように簡略化して示す。すなわち、本体画像ＡＧＧ（Ｋ）の前端から後端までの領域（図示の網目の部分）を本体部分ＡＧ（Ｋ）とし、印刷画像の前端（前カット処理後のラベルの前端）から本体画像ＡＧＧ（Ｋ）の前端（すなわち本体部分ＡＧ（Ｋ）の前端）までの長さを前背景長さ（背景画像として空白画像が設定されているときは前空白長さ：前余白等はこれに含まれることになる）ＬＢＳとし、その間の背景画像ＢＧＧ（Ｙ）のみの領域（図示の前側の点網掛け部分）を前背景部分ＢＧＳ（Ｙ）とし、本体画像ＡＧＧ（Ｋ）の後端（本体部分ＡＧ（Ｋ）の後端）から印刷画像の後端（後カット処理後のラベルの後端）までの長さを後背景長さ（背景画像として空白画像が設定されているときは後空白長さ：後余白等はこれに含まれることになる）ＬＢＥとし、その間の背景画像ＢＧＧ（Ｙ）のみの領域（図示の後側の点網掛け部分）を後背景部分ＢＧＥ（Ｙ）とする。
【０１１６】
ところで、詳細は後述するが、テープ印刷装置１では、背景画像として地画像が設定されたか否かを含む所定の印刷条件に基づいて、印刷画像を印刷するときの印刷制御条件を設定し、印刷画像を表現する印刷画像データおよび印刷制御条件に基づいて、印刷部１２（印刷手段）を制御することにより主印刷を含む各種印刷を行うとともに、切断部１３のカッタ５１を制御することにより前カット処理および後カット処理を含む各種カット処理を行う。ここで、今回ラベル作成時（後述の「前回ラベル作成時」と区別するためにこのように表現する）の印刷画像の背景画像として地画像が設定された場合の、画像印刷（図６のＳ５０）の概要を説明しておく。
【０１１７】
図８に示すように、通常、今回ラベル作成開始時のテープＴの前端は、前回ラベル作成時に後カット処理を行った状態の位置、すなわち、印刷ヘッド７による印刷位置Ｐｐから所定のヘッドカッタ間長さＬＤだけ離れたカッタ５１によるカット位置Ｐｃにある（同図（ａ）参照）。なお、［］で示す部分は、印刷位置Ｐｐ通過後（印刷後）に、結果的に［］内で示す部分となる。テープ印刷装置１では、今回ラベル作成時の印刷画像の背景画像として地画像が設定された場合、まず、テープＴを下流（図示の左側）に送りながら、その背景画像に連続する地画像を、印刷画像の前端より所定の前余印刷長さＬＡＳ分前方の位置から印刷画像の前端まで（以下、この部分を前余印刷部分ＳＧＳ（Ｙ）とする：図示の背景部分と同様の点網掛け部分）余分に印刷（地画像の余分な印刷を以下「余印刷」という）を行う（同図（ｂ）参照）。
【０１１８】
続いて、印刷画像の前背景長さＬＢＳ分の前背景部分ＢＧＳ（Ｙ）、本体部分ＡＧ（Ｋ）、後背景長さＬＢＥ分の後背景部分ＢＧＥ（Ｙ）などの印刷画像の印刷（以下、「主印刷」）を行う（図８（ｃ）〜（ｅ）および図９（ａ）〜（ｃ）参照、ただし、図８（ｅ）と図９（ａ）は同一）が、その過程で、印刷画像の前端（すなわち前背景部分ＢＧＳ（Ｙ）の前端、前余印刷部分ＳＧＳ（Ｙ）の後端）がカット位置Ｐｃに一致した時点で（図８（ｄ）参照）、一旦、テープＴの送りを中断し、カッタ５１によりテープＴをカットする。すなわち、印刷画像の前端で前カット処理を行う（図８（ｅ）参照）。この場合、所定の前余印刷長さＬＡＳ分前方の位置まで余分に地画像を印刷してから前カット処理を行うので、前カットのカット位置の精度が高くなくても、前カット端まできれいに地画像が印刷されたラベルが得られる。
【０１１９】
前カット処理が終了し、再度、テープＴを下流に送りながら、印刷画像の印刷（主印刷）を続行し（図９（ａ）〜（ｃ）参照）、主印刷を終了した（同図（ｃ）参照）後も、続けて、背景画像に連続する地画像を、印刷画像の後端から所定の後余印刷長さＬＡＥ分後方の位置まで（以下、この部分を後余印刷部分ＳＧＥ（Ｙ）とする：図示の背景部分と同様の点網掛け部分）余分に余印刷として印刷し（同図（ｄ）参照）、その後、印刷を伴わずにテープＴの送りを続行して、印刷画像の後端（すなわち後背景部分ＢＧＥ（Ｙ）の後端、後余印刷部分ＳＧＥ（Ｙ）の前端）がカット位置Ｐｃに一致した時点で（同図（ｅ）参照）、テープＴの送りを終了し、カッタ５１によりテープＴをカットする。すなわち、印刷画像の後端で後カット処理を行う（同図（ｆ）参照）。この場合、所定の後余印刷長さＬＡＥ分後方の位置まで余分に地画像を印刷してから後カット処理を行うので、後カットのカット位置の精度が高くなくても、後カット端まできれいに地画像が印刷されたラベルが得られる。なお、この場合の前余印刷長さＬＡＳと後余印刷長さＬＡＥは、その長さを統一（ＬＡＳ＝ＬＡＥと）しても良いし、個別に（任意に）定めても良い。
【０１２０】
図８（ａ）で上述のように、通常、今回ラベル作成開始時のテープＴの前端は、前回ラベル作成時に後カット処理を行った状態であるカット位置Ｐｃにある。ただし、前回ラベル作成時に背景画像として地画像が設定されていたときには、図９（ｆ）から明らかなように、前回ラベル作成時の後余印刷部分ＳＧＥ（Ｙ）相当の部分がテープＴの前端に残ることになる。すなわち、この場合、今回ラベル作成開始時のテープＴの前端には、図１０（ａ）に示すように、前回ラベル作成時の後余印刷部分（以下、この部分を残余印刷部分ＲＳＧＥとする：図示の斜線部分）が残ることになる。
【０１２１】
この図１０（ａ）に示す状態から、図８〜図９で上述のように、印刷画像の背景画像として地画像が設定された場合の画像印刷（図６のＳ５０）を行うと、結果的に、テープＴのうち、図１０（ｂ）に示す部分が所望のラベルＲ１となる。一方、印刷画像の背景画像として空白画像が設定された場合にも、上述の図８〜図９と同じ制御をすれば、単に上述の前背景部分ＢＧＳ（Ｙ）および後背景部分ＢＧＥ（Ｙ）が前背景部分ＢＧＳ（Ｗ）および後背景部分ＢＧＥ（Ｗ）となるだけで、同様に（結果的に）、テープＴのうち、図１０（ｃ）に示す部分が所望のラベルＲ２となる。しかし、今回ラベル作成開始時には、印刷位置Ｐｐより下流（図示左側）に空白部分が残っている。すなわち、たとえ前回ラベル作成時の背景画像として地画像が設定され、それによりテープＴの前端に残余印刷部分ＲＳＧＥが残っていたとしても、少なくとも残余印刷部分ＲＳＧＥの後端以降は空白画像であり、今回ラベル作成時の背景画像として空白画像が設定された場合のその背景画像として一部でも利用できれば、テープＴの無駄を低減できる。
【０１２２】
そこで、詳細は後述するが、テープ印刷装置１では、今回ラベル作成時の背景画像として空白画像が設定された場合に、印刷位置Ｐｐより下流（図示左側）の空白部分を利用できるように制御している。ただし、上述のように、前回ラベル作成時の背景画像として地画像が設定されていたときには、テープＴの前端に残余印刷部分ＲＳＧＥが残っているので、その残余印刷部分ＲＳＧＥが残らないようにしている。具体的には、まず、残余印刷部分ＲＳＧＥの長さとして所定の余印刷長さＬＡ（ＬＡ＝ＬＡＥ＋α、ここでαは０以上の所定値）を定め、今回ラベル作成時には、テープＴの前端から余印刷長さＬＡ分以上後方の位置で前カット処理を行う。すなわち、これにより、前回ラベル作成時の地画像（残余印刷部分ＲＳＧＥ）が今回ラベル作成時の前カット処理後に残ることがない。なお、ここで、所定値αはカット位置の精度（誤差）等を考慮して定めておけばよい。例えば前カットのカット位置の精度が高くなくても、それに合わせて所定値αを大きめに定めておけば、前回ラベル作成時の地画像が残ることが無い。すなわち仮に今回ラベル作成時の背景画像として空白画像が設定されていても、前カット端まできれいなラベルが得られる。
【０１２３】
したがって、このテープ印刷装置１では、例えば本体画像およびその背景画像を有する印刷画像をテープに印刷し、その背景画像としてテープの地色や地模様などの地画像を演出でき、また演出しないときにはテープの無駄を低減でき、かつ、カット位置の精度が高くなくても、カット端まできれいなラベルを得ることができる。以下、このための画像印刷（図６のＳ５０）の処理について、種々の印刷条件の例を挙げつつ、詳細に説明する。
【０１２４】
例えば図１１に示すように、画像印刷の処理（Ｓ５０）では、まず、印刷制御条件設定を行い（Ｓ５１）、続いて、印刷制御を行って（Ｓ５０Ｃ）、処理を終了する（Ｓ５９）。ここで、まず、印刷制御条件設定（Ｓ５１）では、例えば図１２の左欄に示す印刷条件、すなわち今回ラベル作成時の背景画像として地画像が設定されたか否かを含む所定の印刷条件に基づいて、同図の右欄に示すように、印刷画像を印刷するときの種々の印刷制御条件を設定する（Ｓ５１）。
【０１２５】
また、続く印刷制御（Ｓ５０Ｃ）では、前述の図６の印刷画像作成（Ｓ４０）で作成した印刷画像（正確にはその印刷画像を表現する印刷画像データ）、および、上記の印刷制御条件設定（Ｓ５１）で設定された種々の印刷制御条件に基づいて、印刷部１２（テープＴを下流に送りながら印刷ヘッド７により印刷を行う印刷手段）を制御することにより、テープＴの送り並びに主印刷および余印刷を含む各種印刷を行うとともに、前述のカット位置ＰｃでテープＴをカットする切断部１３のカッタ５１を制御することにより、前カット処理および後カット処理を含む各種カット処理を行う（Ｓ５１Ｃ）。
【０１２６】
より具体的に、この印刷制御（Ｓ５０Ｃ）では、図１１に示すように、まず、作成するラベルの前端とテープＴの前端とカット位置Ｐｃとが一致するまでの前カット制御を行い（Ｓ５０Ａ）、前カット制御が終了後に、後カット処理を実行するまでの後カット制御を行う（Ｓ５０Ｂ）。一般に、いわゆる前カット処理は、作成する（作成しようとする）ラベルの前端でテープＴをカットする処理である。このため、前カット処理後には、作成するラベルの前端とテープＴの前端とカッタ５１によるカット位置Ｐｃとが一致する。逆に言えば、これらが最初から一致する場合、前カット処理は省略できる。すなわち、ここでは、前カット処理を省略するという制御を含めて、前カット制御としている。
【０１２７】
この場合、前カット制御（Ｓ５０Ａ）終了後に、後カット処理を実行するまでの後カット制御（Ｓ５０Ｂ）を行うので、後カット制御（Ｓ５０Ｂ）開始時には、作成するラベルの前端とテープＴの前端とカット位置Ｐｃとが一致している。また、この状態では、作成するラベルの長さ（すなわち印刷画像長さ）ＬＲのうちのヘッドカッタ間長さＬＤ分は、すでに印刷ヘッド７による印刷位置Ｐｐより下流にある。すなわち、前カット制御（Ｓ５０Ａ）によりラベルの長さ（印刷画像長さ）ＬＲのうちのＬＤ分を用意（作成）し、後カット制御（Ｓ５０Ｂ）によりＬＲ−ＬＤ分を用意（作成）すれば良く、各制御を分けて扱うことができる。
【０１２８】
さらに具体的に、前カット制御（Ｓ５０Ａ）では、図１１に示すように、まず、今回ラベル作成時の前カット処理が必要か否かを判別し（Ｓ５２）、必要なときには（Ｓ５２：Ｙｅｓ）、次に、印刷を伴わずに（または空白画像の印刷を行いながら）第１テープ送り長さＬＴ１（ＬＴ１≧０）分だけテープＴを下流に送る第１テープ送りを行い（Ｓ５３）、第１テープ送り終了後に、印刷を行いながら第１印刷長さＬＰ１（ＬＰ１≧０）分だけテープＴを下流に送る第１印刷を行い（Ｓ５４）、第１印刷終了後に、前カット処理を行う（Ｓ５５）。この場合、図１２に示すように、印刷制御条件に、第１テープ送り長さＬＴ１および第１印刷長さＬＰ１が含まれるので、これらの制御は容易である。すなわち、第１テープ送り（Ｓ５３）および第１印刷（Ｓ５４）は、単にそれぞれの長さである第１テープ送り長さＬＴ１および第１印刷長さＬＰ１の分だけ行えばよい。なお、上記の第１テープ送り（Ｓ５３）では、テープ送りのみの制御としても良いし、空白画像の印刷を行うことにより、実質的に（結果的に）印刷を伴わないようにしても良い。
【０１２９】
また、この場合、例えば第１テープ送り長さＬＴ１≧０であり、ＬＴ１＝０の場合を含むので、テープＴの前端から（印刷の伴わない第１テープ送り（Ｓ５３）をせずに）直接、第１印刷（Ｓ５４）を行う場合でも、単に印刷制御条件として第１テープ送り長さＬＴ１＝０を設定すれば、同一の制御（Ｓ５０Ａ）で対応できる。第１印刷（Ｓ５４）についても同様であり、第１印刷長さＬＰ１＝０の場合を含むので、処理が不要な場合でも、単に印刷制御条件としてＬＰ１＝０を設定するだけで、同一制御（Ｓ５０Ａ）で対応できる。したがって、このテープ印刷装置１では、背景画像として地画像が設定されたか否かを含む所定の印刷条件が図１２の左欄に示すように種々異なっても、その印刷条件に基づいて、印刷画像を印刷するときの印刷制御条件を設定（Ｓ５１）することにより、同一の制御（Ｓ５０Ａ）で対応できる。なお、以下の説明では、必要に応じて各長さＬＴ１およびＬＰ１と各処理との対応を付記する。
【０１３０】
一方、今回ラベル作成時の前カット処理が必要か否かを判別し（Ｓ５２）、必要でないときには（Ｓ５２：Ｎｏ）、前カット処理（Ｓ５５）までの処理を省略する。これにより、全体の処理時間を短縮可能になる。また、前述のように、通常、今回ラベル作成開始時のテープＴの前端は、前回ラベル作成時に後カット処理を行った状態（すなわちカット位置Ｐｃ）にあるので、例えば第１テープ送り長さＬＴ１＝第１印刷長さＬＰ１＝０であれば、前カットは不要と判別できる。すなわち、第１テープ送り長さＬＴ１＝第１印刷長さＬＰ１＝０の場合に、第１テープ送り（Ｓ５３）、第１印刷（Ｓ５４）および前カット処理（Ｓ５５）を行っても、その前カット処理（Ｓ５５）が空振りになるだけで実害はないが、これらを省略することで、処理時間の短縮が図れる。
【０１３１】
次に、後カット制御（Ｓ５０Ｂ）では、前カット制御（Ｓ５０Ａ）終了後に、印刷を行いながら第２印刷長さＬＰ２（ＬＰ２≧０）分だけテープＴを下流に送る第２印刷を行い（Ｓ５６）、第２印刷終了後に、印刷を伴わずに（または空白画像の印刷を行いながら）第２テープ送り長さＬＴ２（ＬＴ２≧０）分だけテープＴを下流に送る第２テープ送りを行い（Ｓ５７）、第２テープ送り終了後に、後カット処理を行う（Ｓ５８）。この場合、図１２に示すように、印刷制御条件に、第２印刷長さＬＰ２および第２テープ送り長さＬＴ２が含まれるので、第２印刷（Ｓ５６）および第２テープ送り（Ｓ５７）は、単に各長さＬＰ２およびＬＴ２の分だけ行えばよく、前カット制御（Ｓ５０Ａ）で前述と同様に、これらの制御は容易である。また、前述の第１テープ送り（Ｓ５３）と同様に、上記の第２テープ送り（Ｓ５７）では、テープ送りのみの制御としても良いし、空白画像の印刷を行うことにより、実質的に（結果的に）印刷を伴わないようにしても良い。
【０１３２】
また、同様に、それぞれ、第２印刷長さＬＰ２＝０、第２テープ送り長さＬＴ２＝０の場合を含むので、各処理が不要な場合でも、単に印刷制御条件として各長さに０を設定するだけで、同一制御（Ｓ５０Ｂ）で対応できる。したがって、このテープ印刷装置１では、背景画像として地画像が設定されたか否かを含む所定の印刷条件が図１２の左欄に示すように種々異なっても、その印刷条件に基づいて、印刷画像を印刷するときの印刷制御条件を設定し（Ｓ５１）、同一制御（Ｓ５０Ａ〜Ｃ）で対応してラベルを作成できる。なお、以下の説明では、必要に応じて各長さＬＰ２およびＬＴ２と各処理との対応を付記する。
【０１３３】
以下、図１１で上述の印刷制御（Ｓ５０Ｃ）について、図１２の左欄に示す各種印刷条件に沿って（そのＮｏ．の順に）、図１３〜図１８を参照しつつ、さらに詳述する。
【０１３４】
まず、図１２のＮｏ．１の印刷条件が成立する場合、すなわち、今回ラベル作成時の背景画像として地画像が設定された場合、前カット制御（図８のＳ５０Ａ）により、前余印刷長さＬＡＳ分（前余印刷部分ＳＧＳ（Ｙ）分）の余印刷を行い、その後、印刷画像の前端からヘッドカッタ間長さＬＤ分の主印刷を行い（図８のＳ５２：Ｙｅｓ、Ｓ５３：ＬＴ１＝０、Ｓ５４：ＬＰ１＝ＬＡＳ＋ＬＤ、図１３（ａ）〜（ｃ）参照）、その後、前カット処理を行う（Ｓ５５、図１３（ｄ）参照）。
【０１３５】
これにより、今回ラベル作成時の背景画像として地画像が設定された場合に、その背景画像に連続する地画像を、印刷画像の前端より所定の前余印刷長さＬＡＳ分前方の位置から印刷画像の前端まで（前余印刷部分ＳＧＳ（Ｙ）分）余分に、余印刷として印刷して、印刷画像の前端（前背景部分ＢＧＳ（Ｙ）の前端、前余印刷部分ＳＧＳ（Ｙ）の後端）で前カット処理を行う（Ｓ５５、図１３（ｄ）参照）ことができ、この結果、前カットのカット位置の精度が高くなくても、前カット端まできれいに地画像が印刷されたラベルが得られる。なお、通常、カット端をきれいにするために必要な余印刷長さＬＡは、ヘッドカッタ間長さＬＤより小さくて良いので、この場合、ＬＡ≦ＬＤと定めておくだけで、前回ラベル作成時に背景画像として地画像が設定されていたか否かに拘わらず、今回ラベル作成時には、テープＴの前端から所定の余印刷長さＬＡ分以上後方の位置で前カット処理を行うことになる。
【０１３６】
図１２のＮｏ．１の印刷条件が成立する場合（今回ラベル作成時の背景画像として地画像が設定された場合）、続いて、後カット制御（図８のＳ５０Ｂ）では、印刷画像長さＬＲに対し、前カット制御（Ｓ５０Ａ）終了後に、ＬＲ−ＬＤ分の主印刷を行い、その後、後余印刷長さＬＡＥ分（後余印刷部分ＳＧＥ（Ｙ）分）の余印刷を行い（図８のＳ５６：ＬＰ２＝ＬＲ−ＬＤ＋ＬＡＥ、図１３（ｅ）参照）、その後、（ＬＴ２＝）ＬＤ−ＬＡＥ分のテープ送りを行い（Ｓ５７、図１３（ｆ）参照）、その後、後カット処理を行う（Ｓ５８）。
【０１３７】
これにより、今回ラベル作成時の背景画像として地画像が設定された場合に、その背景画像に連続する地画像を、印刷画像の後端から所定の後余印刷長さＬＡＥ分後方の位置まで（後余印刷部分ＳＧＥ（Ｙ）分）余分に、余印刷として印刷した後、印刷画像の後端（後背景部分ＢＧＥ（Ｙ）の後端、後余印刷部分ＳＧＥ（Ｙ）の前端）で後カット処理を行う（Ｓ５８）ことができ、この結果、後カットのカット位置の精度が高くなくても、後カット端まできれいに地画像が印刷されたラベルが得られる。
【０１３８】
次に、以下に説明する図１２のＮｏ．２〜６に共通して、今回ラベル作成時の背景画像として空白画像が設定された場合、印刷画像の前端から本体画像の前端までの空白画像の長さである前空白長さ（背景画像として空白画像が設定された場合の前背景長さ）ＬＢＳ分の主印刷を省略する。すなわち、今回ラベル作成時の背景画像として空白画像が設定された場合、印刷画像の前端から本体画像の前端までは、背景画像として設定された空白画像のみとなるので、この前空白長さＬＢＳ分の主印刷は省略できる。
【０１３９】
一般に、前回ラベル作成時に後カット処理を行った状態（すなわち今回ラベル作成時の前カット制御開始時の状態）では、印刷ヘッド７による印刷位置Ｐｐからカッタ５１によるカット位置Ｐｃまでの間のテープ（すなわち前カット制御開始時のヘッドカッタ間のテープ）Ｔに空白部分（何も印刷していない部分）が残っている。前空白長さＬＢＳ分の主印刷を省略すれば、印刷画像の前端を前カット制御（図８のＳ５０Ａ）開始時の印刷位置Ｐｐに合わせる必要が無くなり、ヘッドカッタ間のテープＴの空白部分の一部または全部を前空白長さＬＢＳ分の空白画像の一部または全部と見なすことができる。すなわち、前空白長さＬＢＳ分の主印刷を省略することにより、省略しないのに比べて、ヘッドカッタ間長さＬＤ分のテープＴのうちの一部または全部を、作成するラベルの一部として利用できる分だけ、テープＴの無駄を低減できる。
【０１４０】
まず、図１２のＮｏ．２の印刷条件が成立する場合、すなわち、今回ラベル作成時の背景画像として空白画像が設定された場合、ヘッドカッタ間長さＬＤ、余印刷長さＬＡおよび前空白長さＬＢＳの関係が、ＬＤ−ＬＡ＞ＬＢＳの判定条件を満たすときに、前回ラベル作成時の設定に拘わらず、前カット制御（図８のＳ５０Ａ）により、（Ｓ５２：Ｙｅｓ、Ｓ５３：ＬＴ１＝０、図１４（ａ）〜（ｂ）参照、かつ、）本体部分ＡＧ（Ｋ）の前端（本体画像ＡＧＧ（Ｋ）の前端）から（ＬＰ１＝）ＬＤ−ＬＢＳ分の主印刷を行った（Ｓ５４、図１４（ｃ）参照）後、前カット処理を行う（Ｓ５５、図１４（ｄ）参照）。
【０１４１】
前述のように、前回ラベル作成時の後カット制御により、今回ラベル作成時の前カット制御（Ｓ５０Ａ）開始時のヘッドカッタ間に、ヘッドカッタ間長さＬＤ分のテープＴが残っている。このため、この状態で、（Ｓ５３：ＬＴ１＝０かつ）本体部分ＡＧ（Ｋ）の前端（本体画像ＡＧＧ（Ｋ）の前端）から（ＬＰ１＝）ＬＤ−ＬＢＳ分の主印刷を行うと（Ｓ５４）、印刷位置Ｐｐより下流に２ＬＤ−ＬＢＳ（＝ＬＤ−ＬＢＳ＋ＬＤ）分のテープＴが存在し、そのうちカット位置Ｐｃより下流にＬＤ−ＬＢＳ分のテープＴが存在する状態になる（図１４（ｃ）参照）。すなわち、この状態で前カット処理を行うと（Ｓ５５、図１４（ｄ）参照）、ＬＤ−ＬＢＳ分のテープＴがカットされる。
【０１４２】
ここで、前回ラベル作成時に背景画像として地画像が設定されていたときには、前回ラベル作成時の後余印刷により、後余印刷長さＬＡＥ分の地画像が今回ラベル作成時の前カット制御（Ｓ５０Ａ）開始時のテープＴの前端に残っている（図１４（ａ）参照）。これに対し、テープＴの前端からＬＤ−ＬＢＳ分のテープＴがカットされ、ＬＤ−ＬＡ＞ＬＢＳにより、ＬＤ−ＬＢＳ＞ＬＡ（＝ＬＡＥ＋α）なので、前回ラベル作成時に背景画像として地画像が設定されていたとしても、その地画像が前カット処理後に残ることはない（図１４（ｄ）参照）。
【０１４３】
また、この場合、前カット処理（Ｓ５５）後にヘッドカッタ間に残ったヘッドカッタ間長さＬＤのテープＴには、前端（カット位置Ｐｃに近い方：前カット端）から前空白長さＬＢＳ分の空白画像に続いて（以下、背景画像として空白画像が設定されたときの前背景部分を前空白部分ＢＧＳ（Ｗ）とすると、その前空白部分ＢＧＳ（Ｗ）に続いて）、印刷画像の本体部分ＡＧ（Ｋ）の前端（本体画像ＡＧＧ（Ｋ）の前端）からＬＤ−ＬＢＳ分が印刷されていることになる（図１４（ｄ）参照）。したがって、前空白長さＬＢＳ分の主印刷を省略することにより、省略しないのに比べて、ヘッドカッタ間長さＬＤ分のテープＴのうちのＬＢＳ分（前空白部分ＢＧＳ（Ｗ）分）をラベルの一部として利用できる分だけ、テープＴの無駄を低減でき、かつ、前カット端まできれいなラベルが得られる。
【０１４４】
図１２のＮｏ．２の印刷条件が成立する場合（ただし、後述のＮｏ．３〜６にも共通して）、すなわち、今回ラベル作成時の背景画像として空白画像が設定された場合、続いて、後カット制御（図８のＳ５０Ｂ）では、印刷画像長さＬＲに対し、前カット制御（Ｓ５０Ａ）終了後に、（ＬＰ２＝）ＬＲ−ＬＤ分の主印刷を行い（Ｓ５６、図１４（ｅ）参照）、その後、（ＬＴ２＝）ＬＤ分のテープ送りを行い（Ｓ５７、図１４（ｆ）参照）、その後、後カット処理を行う（Ｓ５８）。
【０１４５】
前述のように、後カット制御（Ｓ５０Ｂ）開始時には、作成するラベルの前端とテープＴの前端とカッタ５１によるカット位置Ｐｃとは一致し、作成するラベルの長さ（すなわち印刷画像長さ）ＬＲのうち、ヘッドカッタ間長さＬＤ分はすでに印刷ヘッド７による印刷位置Ｐｐより下流にあるので、後カット制御（Ｓ５０Ｂ）により、（ＬＰ２＝）ＬＲ−ＬＤ分の主印刷（印刷画像の印刷）を行えば（Ｓ５６）、印刷画像の全ての印刷が終了する（図１４（ｅ）参照）。
【０１４６】
また、その主印刷終了時点では、印刷画像の後端（以下、背景画像として空白画像が設定されたときの後背景部分を後空白部分ＢＧＥ（Ｗ）とすると、その後空白部分ＢＧＥ（Ｗ）の後端）が印刷ヘッド７による印刷位置Ｐｐにあるので（図１４（ｅ）参照）、主印刷終了後、（ＬＴ２＝）ＬＤ分のテープ送りを行えば（Ｓ５７）、印刷画像の後端（後空白部分ＢＧＥ（Ｗ）の後端）がカット位置Ｐｃと一致する（図１４（ｆ）参照）。このため、その状態でテープＴをカットすれば、印刷画像の後端でテープＴをカットできる。すなわち、上記の制御（Ｓ５０Ｂ）により、所望の印刷画像の印刷（主印刷）を全て終了し、かつその印刷画像の後端でテープＴをカットする後カット処理（Ｓ５８）を行うことができる。
【０１４７】
なお、同様に、図１２のＮｏ．２〜６に共通して、今回ラベル作成時の背景画像として空白画像が設定された場合、後カット制御（図８のＳ５０Ｂ）では、印刷画像のうちの本体部分ＡＧ（Ｋ）の後端（本体画像ＡＧＧ（Ｋ）の後端）から印刷画像の後端までの空白画像の長さである後空白長さ（背景画像として空白画像が設定された場合の後背景長さ）ＬＢＥ分（すなわち後空白部分ＢＧＥ（Ｗ）分）の主印刷を省略して（後空白部分ＢＧＥ（Ｗ）は何も印刷しない部分なので、実際には、主印刷としての制御を省略して）、代わりに印刷を伴わないテープ送りとすることもできる。すなわち、この場合、後カット制御（図８のＳ５０Ｂ）では、前カット制御（Ｓ５０Ａ）終了後に、（ＬＰ２＝）ＬＲ−ＬＤ−ＬＢＥ分の主印刷を行い（Ｓ５６）、その後、（ＬＴ２＝）ＬＤ＋ＬＢＥ分のテープ送りを行い（Ｓ５７）、その後、後カット処理を行う（Ｓ５８）。
【０１４８】
前述と同様に、後カット制御（Ｓ５０Ｂ）開始時には、印刷画像長さＬＲのうち、ヘッドカッタ間長さＬＤ分はすでに印刷ヘッド７による印刷位置Ｐｐより下流にあるので、前カット制御（Ｓ５０Ａ）終了後に、（ＬＰ２＝）ＬＲ−ＬＤ−ＬＢＥ分の主印刷（印刷画像の印刷：本体部分ＡＧ（Ｋ）分の主印刷）を行えば（Ｓ５６）、印刷画像の本体部分ＡＧ（Ｋ）（本体画像ＡＧＧ（Ｋ））の全ての印刷が終了し、その時点では、本体部分ＡＧ（Ｋ）の後端（本体画像ＡＧＧ（Ｋ）の後端）が印刷ヘッド７による印刷位置Ｐｐにあるので、その後、（ＬＴ２＝）ＬＤ＋ＬＢＥ分のテープ送りを行えば（Ｓ５７）、印刷画像の後端（後空白部分ＢＧＥ（Ｗ）の後端）がカット位置Ｐｃと一致する。このため、その状態でテープＴをカットすれば、印刷画像の後端でテープＴをカットできる。すなわち、空白画像の印刷を省略して所望の印刷画像の印刷（主印刷）を全て終了し、かつその印刷画像の後端でテープＴをカットする後カット処理（Ｓ５８）を行うことができる。
【０１４９】
次に、図１２のＮｏ．３の印刷条件が成立する場合、すなわち、今回ラベル作成時の背景画像として空白画像が設定され、かつ前回ラベル作成時の背景画像として地画像が設定されていた場合、ヘッドカッタ間長さＬＤ、余印刷長さＬＡおよび前空白長さＬＢＳの関係が、ＬＤ−ＬＡ≦ＬＢＳ＜ＬＤの判定条件を満たすときに、前カット制御（Ｓ５０Ａ）により、（Ｓ５２：Ｙｅｓ後、ＬＴ１＝）ＬＡ＋ＬＢＳ−ＬＤ分のテープ送りを行い（Ｓ５３、図１５（ａ）〜（ｂ）参照）、その後、本体部分ＡＧ（Ｋ）の前端（本体画像ＡＧＧ（Ｋ）の前端）から（ＬＰ１＝）ＬＤ−ＬＢＳ分の主印刷を行い（Ｓ５４、図１５（ｃ）参照）、その後、前カット処理を行う（Ｓ５５、図１５（ｄ）参照）。
【０１５０】
前述のＮｏ．２の場合と同様に、今回ラベル作成時の前カット制御（Ｓ５０Ａ）開始時のヘッドカッタ間に、ヘッドカッタ間長さＬＤ分のテープが残っている状態で、（ＬＴ１＝）ＬＡ＋ＬＢＳ−ＬＤ分のテープ送りを行うと（Ｓ５３）、印刷位置Ｐｐより下流にＬＡ＋ＬＢＳ分のテープＴが存在し、そのうちカット位置より下流にＬＡ＋ＬＢＳ−ＬＤ分のテープが存在する状態となる（図１５（ｂ）参照）。この状態で、本体部分ＡＧ（Ｋ）の前端（本体画像ＡＧＧ（Ｋ）の前端）から（ＬＰ１＝）ＬＤ−ＬＢＳ分の主印刷を行うと（Ｓ５４）、印刷位置Ｐｐより下流にＬＡ＋ＬＤ分のテープＴが存在し、そのうちカット位置Ｐｃより下流にＬＡ分のテープＴが存在する状態になる（図１５（ｃ）参照）、。すなわち、この状態で前カット処理を行うと（Ｓ５５、図１５（ｄ）参照）、ＬＡ分のテープＴがカットされる。
【０１５１】
前回ラベル作成時に背景画像として地画像が設定されていた場合には、前述のように、後余印刷長さＬＡＥ分の地画像が今回ラベル作成時の前カット制御（Ｓ５０Ａ）開始時のテープＴの前端に残っているが、前カット処理（Ｓ５５）により余印刷長さＬＡ（＝ＬＡＥ＋α）分のテープＴがカットされるので、その地画像が前カット処理後に残ることはない（図１５（ｄ）参照）。また、この場合、前カット処理（Ｓ５５）後にヘッドカッタ間に残ったヘッドカッタ間長さＬＤのテープＴには、前カット端から前空白部分ＢＧＳ（Ｗ）に続いて、印刷画像の本体部分ＡＧ（Ｋ）の前端からＬＤ−ＬＢＳ分が印刷されている（図１５（ｄ）参照）。したがって、ヘッドカッタ間長さＬＤ分のテープＴのうちのＬＢＳ分（前空白部分ＢＧＳ（Ｗ）分）をラベルの一部として利用でき、その分だけ、テープＴの無駄を低減でき、かつ、前カット端まできれいなラベルが得られる。なお、後カット制御（Ｓ５０Ｂ）については、前述の図１２のＮｏ．２の場合と同様なので、説明は省略する（図１５（ｅ）〜（ｆ）参照）。
【０１５２】
次に、図１２のＮｏ．４の印刷条件が成立する場合、すなわち、今回ラベル作成時の背景画像として空白画像が設定され、かつ前回ラベル作成時の背景画像として地画像が設定されていた場合、ヘッドカッタ間長さＬＤおよび前空白長さＬＢＳの関係が、ＬＤ≦ＬＢＳの判定条件を満たすときに、前カット制御（Ｓ５０Ａ）により、（Ｓ５２：Ｙｅｓ後、Ｓ５３：ＬＴ１＝）ＬＡ分のテープ送りを行い（かつＳ５４：ＬＰ１＝０、図１６（ａ）〜（ｃ）参照）、その後、前カット処理を行う（Ｓ５５、図１６（ｄ）参照）。この場合、前述のＮｏ．２の場合等と同様に、今回ラベル作成時の前カット制御（Ｓ５０Ａ）開始時のヘッドカッタ間に、ヘッドカッタ間長さＬＤ分のテープＴが残っている状態で、（ＬＴ１＝）ＬＡ分のテープ送りを行うと（Ｓ５３）、印刷位置Ｐｐより下流にＬＡ＋ＬＤ分のテープＴが存在し、そのうちカット位置Ｐｃより下流にＬＡ分のテープが存在する状態となる（図１６（ｂ）参照）。この状態（かつＳ５４：ＬＰ１＝０、図１６（ｂ）参照）で、前カット処理を行うと（Ｓ５５、図１６（ｄ）参照）、ＬＡ分のテープＴがカットされる。
【０１５３】
前回ラベル作成時に背景画像として地画像が設定されていると、後余印刷長さＬＡＥ分の地画像が今回ラベル作成時の前カット制御開始時のテープの前端に残っているが、前カット処理（Ｓ５５）により余印刷長さＬＡ（＝ＬＡＥ＋α）分のテープＴがカットされるので、その地画像が前カット処理後に残ることはない（図１６（ｄ）参照）。また、この場合、前カット処理（Ｓ５５）後にヘッドカッタ間に残ったヘッドカッタ間長さＬＤ分のテープＴは、ＬＤ≦ＬＢＳなので、全て前空白長さＬＢＳ分の空白画像（前空白部分ＢＧＳ（Ｗ））の一部になる（図１６（ｄ）参照）。したがって、ヘッドカッタ間長さＬＤ分のテープＴは全てＬＢＳ分（前空白部分ＢＧＳ（Ｗ）分）の一部として利用でき、テープＴの無駄を低減でき、かつ、前カット端まできれいなラベルが得られる。なお、後カット制御（Ｓ５０Ｂ）については、前述の図１２のＮｏ．２の場合等と同様なので、説明は省略する（図１６（ｅ）〜（ｆ）参照）。
【０１５４】
次に、図１２のＮｏ．５の印刷条件が成立する場合、すなわち、今回ラベル作成時の背景画像として空白画像が設定され、かつ前回ラベル作成時の背景画像として空白画像が設定されていた場合、ヘッドカッタ間長さＬＤおよび前空白長さＬＢＳの関係が、ＬＤ＞ＬＢＳの判定条件を満たすときに、前カット制御（Ｓ５０Ａ）により、（Ｓ５２：Ｙｅｓ、Ｓ５３：ＬＴ１＝０、図１７（ａ）〜（ｂ）参照、かつ、）本体部分ＡＧ（Ｋ）の前端から（ＬＰ１＝）ＬＤ−ＬＢＳ分の主印刷を行った（Ｓ５４、図１７（ｃ）参照）後、前カット処理を行う（Ｓ５５、図１７（ｄ）参照）。この場合、前述のＮｏ．２の場合等と同様に、今回ラベル作成時の前カット制御（Ｓ５０Ａ）開始時のヘッドカッタ間に、ヘッドカッタ間長さＬＤ分のテープＴが残っている状態で、（Ｓ５３：ＬＴ１＝０かつ）本体部分ＡＧ（Ｋ）の前端から（ＬＰ１＝）ＬＤ−ＬＢＳ分の主印刷を行うと（Ｓ５４）、印刷位置Ｐｐより下流に２ＬＤ−ＬＢＳ（＝ＬＤ−ＬＢＳ＋ＬＤ）分のテープＴが存在し、そのうちカット位置Ｐｃより下流にＬＤ−ＬＢＳ分のテープＴが存在する状態になる（図１７（ｃ）参照）。すなわち、この状態で前カット処理を行うと（Ｓ５５、図１７（ｄ）参照）、ＬＤ−ＬＢＳ分のテープＴがカットされる。
【０１５５】
この場合、前回ラベル作成時に背景画像として地画像が設定されていないので、地画像が前カット処理後に残ることはない（図１７（ｄ）参照）。また、この場合、前カット処理（Ｓ５５）後にヘッドカッタ間に残ったヘッドカッタ間長さＬＤのテープＴには、前カット端から前空白部分ＢＧＳ（Ｗ）に続いて、印刷画像の本体部分ＡＧ（Ｋ）の前端からＬＤ−ＬＢＳ分が印刷されている（図１７（ｄ）参照）。したがって、ヘッドカッタ間長さＬＤ分のテープＴのうちのＬＢＳ分（前空白部分ＢＧＳ（Ｗ）分）をラベルの一部として利用でき、その分だけ、テープＴの無駄を低減でき、かつ、前カット端まできれいなラベルが得られる。なお、後カット制御（Ｓ５０Ｂ）については、前述の図１２のＮｏ．２の場合等と同様なので、説明は省略する（図１７（ｅ）〜（ｆ）参照）。
【０１５６】
最後に、図１２のＮｏ．６の印刷条件が成立する場合、すなわち、今回ラベル作成時の背景画像として空白画像が設定され、かつ前回ラベル作成時の背景画像として空白画像が設定されていた場合、ヘッドカッタ間長さＬＤおよび前空白長さＬＢＳの関係が、ＬＤ≦ＬＢＳの判定条件を満たすときに、前カット制御（Ｓ５０Ａ）により、前カット処理までの処理（Ｓ５３〜Ｓ５４）を省略する（Ｓ５２：Ｎｏ、図１８（ａ）〜（ｄ）参照）。
【０１５７】
この場合、前述のＮｏ．２の場合等と同様に、今回ラベル作成時の前カット制御（Ｓ５０Ａ）開始時のヘッドカッタ間に、ヘッドカッタ間長さＬＤ分のテープＴが残っているが、前回ラベル作成時に背景画像として空白画像が設定されていて、かつＬＤ≦ＬＢＳなので、ヘッドカッタ間長さＬＤ分のテープＴは、全て前空白長さＬＢＳ分の空白画像（前空白部分ＢＧＳ（Ｗ））の一部として利用でき、前カット処理（Ｓ５５）は不要となる（図１８（ａ）〜（ｄ）参照）。したがって、前カット処理までの処理（Ｓ５３〜Ｓ５５）を省略して、ヘッドカッタ間長さＬＤ分のテープＴは全てＬＢＳ分（前空白部分ＢＧＳ（Ｗ）分）の一部として利用でき、テープＴの無駄を低減でき、かつ、前カット端まできれいなラベルが得られる。なお、後カット制御（Ｓ５０Ｂ）については、前述の図１２のＮｏ．２の場合等と同様なので、説明は省略する（図１８（ｅ）〜（ｆ）参照）。
【０１５８】
なお、上述の実施形態では、本体画像を文字画像としたが、外字登録や描画登録等による図形の画像としても良い。また、本体画像の色をＫ（黒：ブラック）および背景画像の色をＹ（イエロー）としたが、これらの組合せは任意である。また、背景画像として設定する地画像としては無地、すなわちテープの地色を演出する例を挙げたが、無地でなくとも、所定の地模様を演出するようなものでも良く、連続して印刷可能であれば、その地模様が種々の色彩により演出されたものでも良い。
【０１５９】
また、上述の実施形態では、インクジェット方式の例を挙げたが、サーマル方式、レーザ方式、ドット・インパクト方式等にも適用できる。また、印刷画像を印刷してラベルとしてカットできるテープであれば、直接貼付可能に構成されたラベルでなくても例えば糊等で貼るなどの方法を採用できる。もちろん、その他、本発明の要旨を逸脱しない範囲で、適宜変更も可能である。
【０１６０】
【発明の効果】
上述のように、本発明のテープ印刷装置およびその制御方法によれば、本体画像およびその背景画像を有する印刷画像をテープに印刷し、その背景画像としてテープの地色や地模様などの地画像を演出でき、また演出しないときにはテープの無駄を低減でき、かつ、カット位置の精度が高くなくても、カット端まできれいなラベルを得ることができる、などの効果がある。
【図面の簡単な説明】
【図１】本発明の一実施形態に係るテープ印刷装置およびその制御方法を適用したテープ印刷装置１の外観斜視図である。
【図２】図１のテープ印刷装置の制御系のブロック図である。
【図３】図１のテープ印刷装置の装置本体の断面図である。
【図４】図１のテープ印刷装置に装着するテープカートリッジの一例の裁断断面図である。
【図５】図１のテープ印刷装置の制御全体の概念的処理を示すフローチャートである。
【図６】典型的な画像作成・印刷処理の一例を示すフローチャートである。
【図７】本体画像、背景画像およびそれらを有する印刷画像、それをラベルとしたときのイメージの一例、並びに、それらを簡略化したイメージの一例を示す説明図である。
【図８】今回ラベル作成時の印刷画像の背景画像として地画像が設定された場合の、図６の画像印刷の処理のイメージの一例を示す説明図である。
【図９】図８に続く、図８と同様の説明図である。
【図１０】前回ラベル作成時の印刷画像の背景画像として地画像が設定された場合の、今回ラベル作成開始時のイメージの一例、結果的にラベルとして抽出される部分のイメージの一例、並びに、今回ラベル作成時の印刷画像の背景画像として空白画像が設定された場合の工夫の余地を説明するためのイメージの一例を示す説明図である。
【図１１】図６の画像印刷の処理の一例を示すフローチャートである。
【図１２】図１１の印刷制御条件設定の処理における種々の印刷条件およびそれに基づいて設定される印刷制御条件の一例を示す説明図である。
【図１３】図１２の印刷条件のＮｏ．１に基づいて図１１の画像印刷の処理を行う場合の、制御イメージの一例を示す説明図である。
【図１４】図１２の印刷条件のＮｏ．２に基づく場合の、図１３と同様の説明図である。
【図１５】図１２の印刷条件のＮｏ．３に基づく場合の、図１３と同様の説明図である。
【図１６】図１２の印刷条件のＮｏ．４に基づく場合の、図１３と同様の説明図である。
【図１７】図１２の印刷条件のＮｏ．５に基づく場合の、図１３と同様の説明図である。
【図１８】図１２の印刷条件のＮｏ．６に基づく場合の、図１３と同様の説明図である。
【符号の説明】
１      テープ印刷装置
３      キーボード
４      ディスプレイ
５      テープカートリッジ
７      印刷ヘッド
１１    操作部
１２    印刷部
１３    切断部
１４    検出部
４１    表示画面
５１    カッタ
２００  制御部
２１０  ＣＰＵ
２２０  ＲＯＭ
２３０  キャラクタジェネレータＲＯＭ（ＣＧ−ＲＯＭ）
２４０  ＲＡＭ
２４１  各種レジスタ群
２４２  テキストデータ領域
２４３  表示画像データ領域
２４４  印刷画像データ領域
２４５  描画登録画像データ領域
２５０  周辺制御回路（Ｐ−ＣＯＮ）
２６０  内部バス
２７０  駆動部
２９０  電源部
ＡＧ（〜）  本体部分
ＡＧＧ（〜）  本体画像
ＢＧＳ（〜）  前背景部分、前空白部分
ＢＧＥ（〜）  後背景部分、後空白部分
ＢＧＧ（〜）  背景画像
ＬＡ  余印刷長さ
ＬＡＳ  前余印刷長さ
ＬＡＥ  後余印刷長さ
ＬＢＳ  前背景長さ、前空白長さ
ＬＢＥ  後背景長さ、後空白長さ
ＬＤ  ヘッドカッタ間長さ
ＬＲ  印刷画像長さ、ラベル長さ
Ｔ      テープ
Ｔ１    印刷テープ
Ｔ２    ラミネートテープ
【図１】
0003731364.tif 000002
【図２】
0003731364.tif 000003
【図３】
0003731364.tif 000004
【図４】
0003731364.tif 000005
【図５】
0003731364.tif 000006
【図６】
0003731364.tif 000007
【図７】
0003731364.tif 000008
【図８】
0003731364.tif 000009
【図９】
0003731364.tif 000010
【図１０】
0003731364.tif 000011
【図１１】
0003731364.tif 000012
【図１２】
0003731364.tif 000013
【図１３】
0003731364.tif 000014
【図１４】
0003731364.tif 000015
【図１５】
0003731364.tif 000016
【図１６】
0003731364.tif 000017
【図１７】
0003731364.tif 000018
【図１８】
0003731364.tif 000019